(57)【特許請求の範囲】
【請求項１】
制御チャネル情報を備えている情報を送信するために、あらかじめ定義されたコードワード基準に基づいてコードワードを生成するコードワード生成器と、前記コードワードは前記情報を複素直交変調することにより生成された複素直交コードワードであり、
あらかじめ定義されたコードワード基準に基づいて、生成されたコードワードから、最悪のケースの相互相関値を有するコードワードのペアを含む1サブセットのコードワードを削除するイクスパゲータと、
を備え、
前記イクスパゲータは、コードワード削除条件
【数１】
0005730813.tif 000070
を使用することによって、任意の２つの複素直交シーケンス間の前記相互相関は、１／２あるいはそれよりも少ない、１セットのコードワードを構成する、なお、ｃｍ（ｋ）及びｃｎ（ｋ）は、ｋ番目の複素直交コードワードの同相及び直角位相のために使用される相互に直交バイナリシーケンスであり、
前記１セットのコードワードは、削除ベースの複素直交コードあるいは拡張された削除ベースの複素直交コードである、
装置。
【請求項２】
前記コードワード生成器及び前記イクスパゲータは、１セットの生成されたコードワードｓｋに、別のセットのコードワード  
【数２】
0005730813.tif 000071
を加えることによって、前記１セットのコードワードを拡張し、なお、ｓｋは、  
【数３】
0005730813.tif 000072
に直交であり、前記の別のセットのコードワード  
【数４】
0005730813.tif 000073
は、すべての前記コードワードに一般に適用される潜在的な複素スクランブリング部分をのぞいて、前記の複素コードワードｓｋのそれぞれの前記同相及び前記直角位相を取り替えることによって得られる、請求項１に記載の装置。
【請求項３】
前記あらかじめ定義されたコードワード基準は、利用可能な帯域幅、前記セットのコードワードにおけるコードワードの数、与えられた時間において送信される予定である制御チャネル情報のビットの数、それぞれのペアのコードワードの相互相関値、使用されることが望まれる直交変調送信のタイプ、コードワード間の定義された最悪のケースの相互相関値、制御チャネル情報を送信するために使用されるトーンの数、あるいは、別のオペレーションのために使用される予定である削除されたコードワードの数のうちの少なくとも１つ、あるいは、それらの組み合わせ、に関することができ、なお、前記別のオペレーションは、干渉レベル推定、消失検出、あるいはマルチモード制御チャネルオペレーション、のうちの少なくとも１つ、あるいは、それらの組み合わせ、を備えている、請求項１に記載の装置。
【請求項４】
前記コードワード生成器は、送信される予定である制御チャネル情報のビットの数、少なくとも１つの他のオペレーションのために使用される予定であるコードワードの数、送信のために使用される予定であるトーンの数、直交変調のタイプ、利用可能な帯域幅、のうちの少なくとも１つ、あるいは、それらの組み合わせ、に少なくとも部分的に基づいて、コードワードを生成するように構成されている、請求項１に記載の装置。
【請求項５】
前記コードワード生成器は、前記生成されたセットのコードワードをスクランブルするように構成されており、前記生成されたセットのコードワードの前記のスクランブルは、同相及び直角位相のための異なるスクランブリングコードを使用している前記生成されたセットのコードワードにおける各コードワードの前記同相及び直角位相のスクランブル、あるいは、あらかじめ決定された長さの通信デバイス特定の複素擬似ランダム雑音シーケンスを使用している前記生成されたセットのコードワードにおける各コードワードのスクランブル、あるいは、それらの組み合わせ、のうちの少なくとも１つを備えている、請求項１に記載の装置。
【発明の詳細な説明】
【関連出願に対する相互参照】
【０００１】
本願は、２００７年２月９日に出願され、「ワイヤレス通信システムにおいてコードワードを効率的に使用するための方法および装置(A METHOD AND APPARATUS FOR EFFICIENTLY USING CODEWORDS IN A WIRELESS COMMUNICATION SYSTEM)」と題された米国仮特許出願６０／８８９，２５２号の利益を主張し、前述の出願の全体は、参照によってここにおいて組み込まれる。
【技術分野】
【０００２】
以下の説明は、一般的にワイヤレス通信に関し、そして、より具体的には、ワイヤレス通信システムにおいて、コードワード(codewords)を効率的に利用することに関する。
【背景技術】
【０００３】
ワイヤレス通信システムは、様々なタイプの通信を提供するために広く展開されており、例えば、ボイス及び／またはデータは、そのようなワイヤレス通信システムを介して、供給されることができる。典型的なワイヤレス通信システム、すなわちネットワークは、１つまたは複数の共有されたリソース（例、帯域幅、送信パワー、・・・）に対してマルチプルユーザアクセス(multiple users access)を供給することができる。例えば、システムは、周波数分割多重化(Frequency Division Multiplexing)（ＦＤＭ）、時分割多重化(Time Division Multiplexing)（ＴＤＭ）、符号分割多重化(Code Division Multiplexing)（ＣＤＭ）、第三世代パートナーシッププロジェクト（３ＧＰＰ）の長期発展型(Long-Term Evolution)（ＬＴＥ）システム、直交周波数分割多重化(Orthogonal Frequency Division Multiplexing)（ＯＦＤＭ）、及び他のもの、のような、様々な多元接続技術(multiple access techniques)を使用することができる。
【０００４】
一般に、ワイヤレス多元接続通信システムは、マルチプルモバイルデバイス(multiple mobile devices)のための通信を同時にサポートすることができる。各モバイルデバイスは、順方向リンク及び逆方向リンク上の送信を介して、１つまたは複数の基地局と通信することができる。順方向リンク（あるいは「ダウンリンク」）は、基地局からモバイルデバイスまでの通信リンクを指しており、逆方向リンク（あるいは「アップリンク」）は、モバイルデバイスから基地局までの通信リンクを指している。この通信リンクは、シングルインシングルアウト(single-in-single-out)（ＳＩＳＯ）、マルチプルインシングルアウト(multiple-in-single-out)（ＭＩＳＯ）、シングルインマルチプルアウト(single-in-multiple-out)（ＳＩＭＯ）、あるいはマルチプルインマルチプルアウト(multiple-in-multiple-out)（ＭＩＭＯ）システムを介して、確立されることができる。
【０００５】
例えば、ＭＩＭＯシステムは、データ送信のために、マルチプル（ＮＴ）送信アンテナと、マルチプル（ＮＲ）受信アンテナと、を利用することができる。ＮＴ送信アンテナとＮＲ受信アンテナによって形成されたＭＩＭＯチャネルは、Ｎｓ独立チャネルに分解(decomposed)されることができ、そしてそれは、空間チャネルとも呼ばれており、ここにおいては、Ｎｓ≦ｍｉｎ｛ＮＴ,ＮＲ｝である。Ｎｓ独立チャネルのそれぞれは、１次元に対応することができる。ＭＩＭＯシステムは、マルチプル送信アンテナと受信アンテナによって作られた追加の次元(additional dimensionalities)が使用される場合には、改良されたパフォーマンス（例、より高いスループット及び／またはより高い信用性(greater reliability)）を供給することができる。
【０００６】
ＭＩＭＯシステムは、時分割デュプレックス(time division duplex)（ＴＤＤ）システムと、周波数分割デュプレックス(frequency division duplex)（ＦＤＤ）システムと、をサポートすることができる。ＴＤＤシステムにおいては、順方向リンク送信と逆方向リンク送信は、相互関係法則(reciprocity principle)が逆方向リンクチャネルからの順方向リンクチャネルの推定を可能にするように、同じ周波数領域上にあることができる。このことは、マルチプルアンテナに、マルチプルアンテナがアクセスポイントにおいて利用可能であるときに、順方向リンク上で送信ビームフォーミング利得(transmit beamforming gain)を抽出させることをイネーブルする(enable)ことができる。
【０００７】
ワイヤレス通信システムは、サービスエリア(coverage area)を供給する１つまたは複数の基地局をしばしば使用する。典型的な基地局は、ブロードキャスト、マルチキャスト、および／またはユニキャストのサービス用のマルチプルデータストリームを送信することができ、ここにおいて、データストリームは、モバイルデバイスに対して独立受信対象であることができるデータのストリームであってもよい。そのような基地局のサービスエリア内のモバイルデバイスは、合成ストリームによって搬送される、１つの、１以上の、あるいはすべての、データストリームを受信するために、利用されることができる。同様に、モバイルデバイスは、基地局あるいは別のモバイルデバイスに対して、データを送信することができる。
【０００８】
モバイルデバイスと基地局との間の送信は、トラフィクチャネルと制御チャネルにわたることができる。モバイルデバイスと基地局との間のトラフィクチャネル用の送信は、複素直交変調(complex orthogonal modulation)を利用して、達成されることができる。アップリンク制御チャネル送信のために複素直交変調を利用することが望ましい可能性があり、それは、特に複素直交送信がトラフィックチャネル送信のために使用されるときである。しかしながら、効率的な単一のキャリア周波数分割多元接続(single carrier frequency division multiple access)（ＳＣ−ＦＤＭＡ）あるいは直交周波数分割多元接続(orthogonal frequency division multiple access)（ＯＦＤＭＡ）のアップリンク制御チャネル設計は、アップリンク制御チャネルの設計の場合に考慮されるべきである競合する要求事項(conflicting requirements)（例、帯域幅の制限、等）に一部帰因するために、意欲をかき立てることができる。
【発明の概要】
【０００９】
下記は、そのような実施形態の基本的な理解を提供するために、１つまたは複数の実施形態の簡略化された概要(summary)を提示する。この概要は、すべての熟考された実施形態の広範囲な全体像ではなく、すべての実施形態の重要なあるいは決定的なエレメントを識別することも、あるいは、いずれのあるいはすべての実施形態の範囲を詳細に描写することも、意図されていない。その唯一の目的は、後で示されるより詳細な説明の前置きとして、簡略化された形態で１つまたは複数の実施形態のいくつかの概念(concepts)を提示することである。
【００１０】
１つまたは複数の実施形態及びそれらの対応する開示にしたがって、様々な態様が、通信環境（例、ワイヤレス通信環境）における通信デバイス間の制御チャネル情報の送信を容易にすることに関連して、説明されている。開示された主題は、単一キャリア周波数分割多元接続（ＳＣ−ＦＤＭＡ）あるいは直交周波数分割多元接続（ＯＦＤＭＡ）に関連づけられた、帯域幅効率非コヒーレントシグナリング(bandwidth-efficient non-coherent signaling)が通信デバイス間で制御チャネル情報を送信するために、構成され、利用されることができる複素直交コードワードセット(complex orthogonal codeword set)を利用できる。複素直交コードワードセットは、望ましい相互相関プロパティ(desirable cross-correlation property)を有する第１サブセットのコードワード(first subset of codewords)と、削除されたコードワード(expurgated codewords)を含むことができる別のサブセット（単数または複数）のコードワード(another subset(s) of codewords)と、を備えることができ、ただし、削除されたコードワードは、望ましくない相互相関プロパティ（例、最悪のケースの相互相関プロパティ）を作るコードワードのペア(codeword pairs)および／または廃棄されるコードワード(discarded codewords)を含むことができ、また、そのようなコードワードは、望ましいスペクトル効率を満たすために廃棄されることができる。コードワードセット及びサブセットは、あらかじめ定義されたコードワード基準に少なくとも部分的に基づいて(at least in part on a predefined codeword criterion)、決定されることができる。複素コードワードに関連づけられたマルチモードオペレーションは、帯域幅の効率性をさらに改善するために利用されることができる。さらに、廃棄されるコードワード、あるいはそれらの一部分は、例えば改善された帯域幅の効率を容易にするために、消失デコード(erasure decoding)および／または干渉レベル推定(interference-
level estimation)のような他の望ましい目的に利用されることができる。
【００１１】
関連づけられた態様にしたがって、例えばワイヤレス通信環境において、情報の送信を容易にする方法がここにおいて説明されている。方法は、制御チャネル情報を備えている情報の送信を容易にするために、１セットのコードワード(a set of codewords)を生成することを含むことができる。さらに、方法は、あらかじめ定義されたコードワード基準に少なくとも部分的に基づいて、１サブセットのコードワード(a subset of the codewords)を削除すること(expurgating)を備えることができる。
【００１２】
別の態様は、ワイヤレス通信装置(wireless communications apparatus)に関する。ワイヤレス通信装置は、あらかじめ定義されたコードワード基準に少なくとも部分的に基づいて生成されたコードワードを使用して、情報を送信することに関連づけられたインストラクション(instructions)を保持するメモリを含むことができる。さらに、ワイヤレス通信装置は、メモリにおいて保持されたインストラクションを実行するように構成された、メモリに結合された、プロセッサを含むことができる。
【００１３】
また、別の態様は、装置(apparatus)に関する。装置は、制御チャネル情報を備えている情報の送信を容易にするために、あらかじめ定義されたコードワード基準に少なくとも部分的に基づいてコードワードを生成するコードワード生成器(codeword generator)を含むことができる。装置は、また、あらかじめ定義されたコードワード基準に少なくとも部分的に基づいて、コードワードを削除するイクスパゲータ(expurgator)を備えることができる。
【００１４】
また、別の態様は、例えばワイヤレス通信環境における、情報の送信を容易にするワイヤレス通信装置に関する。ワイヤレス通信装置は、情報の送信を容易にするために、１サブセットのコードワードを生成するための手段、を含むことができる。さらに、ワイヤレス通信装置は、あらかじめ定義されたコードワード基準に少なくとも部分的に基づいて、１サブセットの生成されたコードワード(a subset of the generated codewords)を削除するための手段を備えることができる。
【００１５】
また、別の態様は、情報の送信を容易にするために１セットのコードワードを生成するための、及び、あらかじめ定義されたコードワード基準に少なくとも部分的に基づいて１サブセットのコードワードを削除するための、マシン実行可能なインストラクション(machine-executable instructions)を保存したマシン可読メディア(machine-readable medium)に関する。
【００１６】
別の態様にしたがって、ワイヤレス通信システムにおける装置は、プロセッサを含むことができ、ここにおいて、プロセッサは、１セットの生成されたコードワード(a set of generated codewords)を使用するように構成されることができ、また、コードワードは、あらかじめ定義されたコードワード基準に少なくとも部分的に基づいて生成される。さらに、プロセッサは、あらかじめ決定されたコードワード基準に少なくとも部分的に基づいて、制御チャネル情報の送信を容易にするために、該セットの生成されたコードワードの一部分を使用するように構成されることができる。
【００１７】
他の態様にしたがって、通信環境に関連づけられた情報の送信を容易にする方法がここにおいて説明されている。方法は、あらかじめ定義されたコードワード基準に少なくとも部分的に基づいて、制御チャネル情報を供えている情報を送信することを容易にする、生成されたセットのコードワード(a generated set of codewords)に関連づけられた信号を受信することを含むことができる。さらに、方法は、受信された信号をデコードすること (decoding)を備えることができる。
【００１８】
また、別の態様は、あらかじめ定義されたコードワード基準に少なくとも部分的に基づいて制御チャネル情報を備えている情報を送信することと、受信された信号をデコードすることと、を容易にする、生成されたセットのコードワードに関連づけられた信号を受信することに関連づけられたインストラクションを保持するメモリを含むことができるワイヤレス通信装置に関する。さらに、ワイヤレス通信装置は、メモリにおいて保持されるインストラクションを実行するように構成された、メモリに結合された、プロセッサを備えることができる。
【００１９】
別の態様は、ワイヤレス通信環境における情報の送信を容易にするワイヤレス通信装置に関する。ワイヤレス通信装置は、あらかじめ定義されたコードワード基準に少なくとも部分的に基づいて制御チャネル情報を備えている情報を送信することを容易にする、生成されたセットのコードワードに関連づけられた信号を受信するための手段を含むことができる。さらに、ワイヤレス通信装置は、受信された信号をデコードするための手段、を含むことができる。
【００２０】
また、別の態様は、あらかじめ定義されたコードワード基準に少なくとも部分的に基づいて制御チャネル情報を備えている情報を送信することを容易にする生成されたセットのコードワードに関連づけられた信号を受信するための、及び、受信された信号をデコードするための、マシン実行可能なインストラクションを保存したマシン可読媒体(a machine-readable medium)に関する。
【００２１】
別の態様にしたがって、ワイヤレス通信システムにおける装置は、プロセッサを含むことができ、ここにおいて、プロセッサは、あらかじめ定義されたコードワード基準に少なくとも部分的に基づいて制御チャネル情報を備えている情報を送信することを容易にする、生成されたセットのコードワードに関連づけられた信号を受信するように構成されることができる。さらに、プロセッサは、受信された信号をデコードするように構成されることができる。さらに、プロセッサは、１サブセットの生成されたセットのコードワード(a subset of the generated set of codewords)を使用して、受信された信号の消失デコードを実行するように構成されることができ、サブセットは、廃棄されるコードワードを備えている。
【００２２】
前述及び関連する目的の実現のために、１つまたは複数の実施形態は、下記で十分に説明され、特に特許請求の範囲において指摘された、特徴を備える。下記の説明及び添付図面は、１つまたは複数の実施形態のある説明のための態様において詳細に記載されている。しかしながら、これらの態様は、様々な実施形態の原理が使用されることができる、ほんのいくつかの様々な方法を示しており、説明された実施形態は、すべてのそのような態様およびそれらの同等物(equivalents)を含むように意図されている。
【図面の簡単な説明】
【００２３】
【図１】図１は、ここにおいて説明されている様々な態様にしたがったワイヤレス通信システムの図である。
【図２】図２は、開示された主題の一実施形態にしたがった、通信デバイス間の情報の送信を容易にするために、コードワードの生成を容易にすることができる例示的なシステムの図である。
【図３】図３は、ワイヤレス通信環境内の情報の送信を容易にすることができる例示的な方法の図である。
【図４】図４は、ワイヤレス通信システムに関連づけられた情報を送信することを容易にするために、コードワードを生成することを容易にすることができる例示的な方法の図である。
【図５】図５は、ワイヤレス通信システムに関連づけられた情報を送信することを容易にするために、スクランブリングすることを使用することができる例示的な方法の図である。
【図６】図６は、ワイヤレス通信システムに関連づけられた情報の送信を容易にするために、消失デコードを容易にすることができる例示的な方法の図である。
【図７】図７は、ワイヤレス通信システムに関連づけられた情報の送信を容易にするために、消失デコードを容易にすることができる別の例示的な方法の図である。
【図８】図８は、ワイヤレス通信システムに関連づけられた情報の送信あるいは受信を容易にすることができる例示的なモバイルデバイスの図である。
【図９】図９は、ワイヤレス通信システムに関連づけられた情報の送信あるいは受信を容易にすることができる例示的なシステムの図である。
【図１０】図１０は、ここにおいて説明された様々なシステムおよび方法と共に使用されることができる、例示的なワイヤレスネットワーク環境の図である。
【図１１】図１１は、ワイヤレス通信環境に関連づけられた通信デバイス間の情報の送信を容易にすることができる例示的なシステムの図である。
【図１２】図１２は、ワイヤレス通信環境に関連づけられた通信デバイス間の情報の送信を容易にすることができる例示的なシステムの図である。
【発明を実施するための形態】
【００２４】
様々な実施形態は、図面を参照して説明されており、全体を通して、同様の参照数字は、同様のエレメントを指すように使用される。以下の説明においては、説明の目的のために、非常に多くの具体的な詳細な説明が、１つまたは複数の実施形態の完全なる理解(a thorough understanding)を提供するために記載されている。それは、明白かもしれないけれども、そのような実施形態（単数または複数）は、これらの具体的な詳細なしで実行されることができる。他の例において、よく知られた構造(structures)およびデバイス(devices)は、１つまたは複数の実施形態を説明することを容易にするために、ブロック図の形で示されている。
【００２５】
本出願において使用されるように、用語「コンポーネント(component)」、「モジュール(module)」、「システム(system)」、および同様なものは、コンピュータ関連のエンティティ(entity)、ハードウェアか、ファームウェア、ハードウェアとソフトウェアの組み合わせか、ソフトウェアか、あるいは実行中のソフトウェアか、を指すことができる。例えば、コンポーネントは、限定されてはいないが、プロセッサ上で実行中のプロセス、プロセッサ、オブジェクト、実行ファイル(executable)、実行スレッド(thread of execution)、プログラム、および／またはコンピュータ、であることができる。例として、コンピューティングデバイス上で実行中のアプリケーションとコンピューティングデバイスの両方がコンポーネントであることができる。１つまたは複数のコンポーネントは、プロセスおよび／または実行スレッド内に常駐(reside)することができ、また、コンポーネントは、１つのコンピュータ上に局在化されることができ、および／または２つ以上のコンピュータの間で分散される（distributed）ことができる。さらに、これらのコンポーネントは、そこに記憶された様々なデータ構造を有している様々なコンピュータ可読媒体から実行することが出来る。コンポーネントは、ローカルな、および／または、遠隔のプロセスで、例えば、１つ以上のデータパケット（例、ローカルシステム、分散システムにおいて、および／または、インターネットのような有線あるいはワイヤレスネットワーク全体にわたって、別のコンポーネントと相互作用している１つのコンポーネントからのデータ）を有している信号にしたがって、通信することが出来る。
【００２６】
さらに、様々な実施形態は、モバイルデバイスに関連して、ここにおいて説明されている。モバイルデバイスはまた、システム、加入者ユニット、加入者ユニット、モバイル局、モバイル、遠隔局、遠隔端末、アクセス端末、ユーザ端末、端末、ワイヤレス通信デバイス、ユーザエージェント、ユーザデバイス、あるいはユーザ機器（ＵＥ）、と呼ばれることができる。モバイルデバイスは、セル電話、コードレス電話、セッションイニシエーションプロトコル（ＳＩＰ）電話、ワイヤレスローカルループ（ＷＬＬ）局、携帯情報端末(personal digital assistant)（ＰＤＡ）、ワイヤレス接続機能を有しているハンドヘルドデバイス、コンピューティングデバイス、あるいは、ワイヤレスモデムに接続された他のプロセッシングデバイス、であってもよい。さらに、様々な実施形態は、基地局に関連して、ここにおいて説明されている。基地局は、モバイルデバイス（単数または複数）と通信するために使用されることができ、また、アクセスポイント、ノードＢ、あるいは、いくつかの他の用語で呼ばれることができる。
【００２７】
さらに、ここにおいて説明された特徴の様々な態様は、スタンダードプログラミングおよび／または工学技術を使用して、方法、装置、あるいは製造品(article of manufacture)としてインプリメントされることができる。ここにおいて使用されているように、用語「製造品(“article of manufacture”)」は、いずれのコンピュータ可読デバイス、キャリア、あるいはメディアからアクセス可能なコンピュータプログラムを含むように意図されている。例えば、コンピュータ可読メディアは、磁気保存デバイス（例えば、ハードディスク、フロッピー（登録商標）ディスク、磁気ストリップ(magnetic strips）等）に限定されず、光学ディスク（例えば、コンパクトディスク（ＣＤ）、デジタル汎用ディスク（ＤＶＤ）等）、スマートカード、及びフラッシュメモリデバイス（例えば、ＥＰＲＯＭ、カード、スティック、キードライブ等）を含むことができる。さらに、ここにおいて説明されている様々なストレージ媒体は、１つまたは複数のデバイス、および／または、情報を保存するための他のマシン可読媒体を表すことができる。用語「マシン可読媒体(machine-readable medium)」は、限定されていないが、インストラクション（単数または複数）及び／またはデータを保存し、含み、及び／または、搬送することができる、ワイヤレスチャネル及び様々な他のメディアを含むことができる。
【００２８】
図１を参照すると、ワイヤレス通信システム１００が、ここにおいて提示された様々な実施形態にしたがって、図示されている。システム１００は、マルチプルアンテナグループを含むことができる基地局１０２を備える。例えば、１つのアンテナグループは、アンテナ１０４とアンテナ１０６を含むことができ、別のグループは、アンテナ１０８とアンテナ１１０を含むことができ、そして、追加グループは、アンテナ１１２とアンテナ１１４を含むことができる。各アンテナグループについて２つのアンテナが図示されているが、より多くのあるいはより少数のアンテナ(more or fewer antennas)は、各グループのために、利用されることができる。基地局１０２は、送信機チェーンと受信機チェーンをさらに含むことができ、それらのそれぞれは、当業者によって理解されるように、信号送信及び受信に関連づけられた複数のコンポーネント（例、プロセッサ、モジュレータ、マルチプレクサ、デモジュレータ、デマルチプレクサ、アンテナ、等）を代わりに備えることができる。
【００２９】
基地局１０２は、モバイルデバイス１１６やモバイルデバイス１２２のような１つまたは複数のモバイルデバイスと通信することができるが、基地局１０２がモバイルデバイス１１６及び１２２に同様な実質的には任意の数のモバイルデバイスと通信することができるということが理解されるべきである。モバイルデバイス１１６及び１２２は、例えば、セル電話、スマートフォン、ラップトップ、ハンドヘルド通信デバイス、ハンドヘルドコンピューティングデバイス、サテライトラジオ、グローバルポジショニングシステム、ＰＤＡｓ、及び／または、ワイヤレス通信システム１００にわたって通信するためのいずれの他の適切なデバイス、であってもよい。図示されているように、モバイルデバイス１１６は、アンテナ１１２および１１４と通信しており、なお、アンテナ１１２及び１１４は、順方向リンク１１８にわたってモバイルデバイス１１６に情報を送信し、そして、逆方向リンク１２０にわたってモバイルデバイス１１６から情報を受信する。さらに、モバイルデバイス１２２は、アンテナ１０４及び１０６と通信しており、なお、アンテナ１０４及び１０６は、順方向リンク１２４にわたってモバイルデバイス１２２に情報を送信し、そして、逆方向リンク１２６にわたってモバイルデバイス１２２から情報を受信する。周波数分割デュプレックス(frequency division duplex)（ＦＤＤ）システムにおいては、順方向リンク１１８は、逆方向リンク１２０によって利用されるものとは異なる周波数帯域を利用することができ、順方向リンク１２４は、例えば逆方向リンク１２６によって利用されるものとは異なる周波数帯域を利用することができる。さらに、時分割デュプレクス（ＴＤＤ）システムにおいては、順方向リンク１１８および逆方向リンク１２０は、共通の周波数帯域を利用し、順方向リンク１２４及び逆方向リンク１２６は、共通の周波数帯域を利用することができる。
【００３０】
通信するように指定されるエリア、および／または、アンテナの各グループは、基地局１０２のセクタを指すことができる。例えば、アンテナグループは、基地局１０２によってカバーされるエリアのセクタにおいて、モバイルデバイス（例、１１６）に対して通信するように設計されることができる。順方向リンク１１８及び１２４にわたって通信することにおいて、基地局１０２の送信アンテナは、モバイルデバイス１１６及び１２２の順方向リンク１１８及び１２４の信号対雑音比を改善するためにビームフォーミング(beamforming)を利用することができる。さらに、基地局１０２は、関連づけられたカバレッジを通じて、ランダムに散ったモバイルデバイス１１６及び１２２に送信するためにビームフォーミングを利用するが、近隣セルにおけるモバイルデバイスは、すべてのそのモバイルデバイスに対して単一のアンテナを通じて送信する基地局と比較して、より少ない干渉を受ける可能性がある(can be subject to less interference)。
【００３１】
通信デバイス（例、モバイルデバイス、基地局）の間で制御チャネルを送信するために、直交変調のような、非コヒーレントシグナリング(non-coherent signaling)を利用することは望ましい可能性がある。例えば、単一キャリア周波数分割多重化（ＳＣ−ＦＤＭ）あるいは直交周波数分割多重化（ＯＦＤＭ）のような直交多重化が、トラフィックチャネルのために利用されるとき、チャネル測定の観点において、制御チャネル（単数または複数）（例、チャネル品質インジケータチャネル（ＣＱＩＣＨ）、そしてそれは、ダウンリンクチャネル信号対干渉＋雑音比(signal-to-interference plus noise ratio)（ＳＩＮＲ）測定情報を配信することができ、そして、アップリンクパワー制御基準(uplink power control reference)として使用されることができる）のために直交多重化を利用することが望ましい可能性があり、同じあるいは同様の干渉は、トラフィックチャネルと制御チャネルとの間で観察されることができる。例えば、制御チャネルをデコードした後で、同じタイプの多重化（例、直交）を使用することによって、制御チャネルのチャネル条件（例、干渉条件）は、測定され、そして、改善された制御及び／またはトラフィックチャネルのデコードを容易にするためにトラフィックチャネルに適用されることができ、そしてそれは、トラフィックチャネル上の信号の改善された送信及び受信を結果としてもたらすことができる。制御チャネルがトラフィックチャネルと同じタイプの多重化（例、直交）を利用しない場合には、そのようなチャネル条件情報は利用可能ではない。非コヒーレントシグナリングに基づいて直交変調を使用するための別の理由は、コヒーレントシグナリング(coherent signaling)がパイロットオーバーヘッド(pilot overhead)から苦しむということであり、一方で、非コヒーレントシグナリングを備えた直交変調は、アップリンクパイロットオーバーヘッドを取り除くことができる。
【００３２】
従来、制御チャネル情報送信についての直交コードの効率(efficiency of orthogonal code)は、望ましくないくらい低くてもよい(can be undesirably low)。主題のイノベーション(subject innovation)は、バイナリから複素（例、四変数(quaternary)）変調へと直交変調を拡張する(extend)ことができ、そしてそれは、帯域幅の効率を著しく(significantly)改善することができる。主題のイノベーションはまた、著しく改善された相互相関プロパティを有する１セットの帯域幅効率複素コードワード(a set of bandwidth-efficient complex codewords)を設計することによって、直交制御チャネルの効率を最適化することができ、そしてそれは、アップリンク制御チャネルの直交多重化のために使用されたトーンの数を減らすことを容易にし、干渉レベル推定、消失検出を容易にし、および／または、マルチプルタイプの制御情報（例、ＣＱＩＣＨ、プレコーディングマトリクスインジケータチャネル（ＰＭＩＣＨ）、スケジューリングリクエストチャネル（ＳＲＣＨ）等）の同時あるいは実質的には同時の送信を容易にすることができる。例えば、主題のイノベーションは、望ましい（例、大きい）セットの複素直交コードワード(a desired (e. g., large) set of complex orthogonal codewords)を設計することができ、そして、望ましい相互相関プロパティで帯域幅効率非コヒーレントシグナリングセットのコードワード(a bandwidth-efficient non-coherent signaling set of codewords)を作るために、最悪のケースのコードワードおよび／または複素直交コードワードからの追加コードワードを削除することができる。さらに、マルチモードオペレーションは、帯域幅効率をさらに改善するために、設計された複素コードワードを使用して、利用されることができる。
【００３３】
一例として、８ビットを配信するための、非コヒーレントシグナリングに基づいている、典型的にはバイナリ直交変調について、（２５６,８）アダマールコード(Hadamard code)を含むことができ、そしてそのようなバイナリ直交シグナリングは、アップリンク制御チャネルの直交多重化について帯域幅予算(bandwidth budget)を超える可能性があるとき、望ましくない高い量(an undesirable high amount)である可能性がある２５６トーンを費やすことができ、そして、かなり低いコードレート（例、１／３２）をまた供給するであろう。様々な実施形態にしたがって、主題のイノベーションは、アップリンク制御チャネルの直交多重化のために８ビットを配信するために、著しくより小さいトーンの数（例３２トーンあるいはそれより少ない）に対して利用されたトーンの数を減らすことができる。例えば、主題のイノベーションは、帯域幅効率非コヒーレントシグナリングを容易にするために、バイナリ直交変調(binary orthogonal modulation)と比較して、制御チャネル情報を送信するように使用されたトーンの数を減らすために、非コヒーレントシグナリングについて複素直交変調（例、四相シフトキーイング(quaternary phase-shift keying)（ＱＰＳＫ））を利用することができる。悪い相関（例、相関  
【数１】
0005730813.tif 000002
【００３４】
）を作る候補コードワード(candidate codewords)は、最初に削除されることでき、そしてそれは、残りのそれぞれのペアのコードワードの間の最悪のケースの相互相関を改善することができる。さらに、あらかじめ決定された数の残りのコードワード(predetermined number of the remaining codewords)は、必要とされるスペクトル効率（例、与えられたトーンの数について有効コードワードの必要とされる数(required number of valid codewords for a given number of tones)）を満たすために廃棄されることができる。廃棄されるワードは、干渉レベル推定、消失検出などのような、他の目的のために、利用されることができる。
【００３５】
一態様にしたがって、モバイルデバイス（例、１１６）および／または基地局１０２のような通信デバイスは、例えばＳＣ−ＦＤＭあるいはＯＦＤＭに関連づけられた、アップリンク制御チャネル（例、ＣＱＩＣＨ、ＰＭＩＣＨ、ＳＲＣＨ等）用の帯域幅効率非コヒーレントシグナリングについて複素シーケンスを利用するように構成されることができる。通信デバイスは、制御チャネル情報の望ましいビットの数(a desired number of bits of control channel information)を送信することができ、そしてそれは、そのような制御チャネル情報は、複素直交変調を使用して送信することができる。
【００３６】
主題のイノベーションがモバイルデバイス（例、１１６）及び基地局１０２に関して、ここにおいて説明されているが、主題のイノベーションは、それほど限定されておらず、主題のイノベーションの態様は、ワイヤレス環境あるいはワイヤード環境(wired environment)において通信するかに関わらず、仮想的にいずれの通信デバイスにおいて利用されることができるということは理解されるべきである。
【００３７】
一実施形態にしたがって、複素直交変調は、高次変調(high order modulation)（例、ＱＰＳＫ）が、制御チャネル情報を送信するために使用されたトーンの数を減らすことを容易にするために非コヒーレントシグナリングのために利用されることができる、通信デバイス（単数または複数）（例１０２、１１６）によって利用され、使用されることができる。一態様において、送信されることを望まれた制御チャネル情報のビットの数は、マルチプルセットのビット(multiple sets of bits)に分割されることができ、そして、各セットのビットは、（例えば、アダマールコードを利用して）別々にエンコードされる(encoded)ことができる。制御チャネル情報のビットをマルチプルセット(multiple sets)に分割することによって、利用されたトーンの数は、ビットが分割されない場合に利用されるトーンの数と比較して、例えば、各グループのビットにおけるビットの数(the number of bits in each group of bits)及び／またはビットのグループの数(the number of groups of bits)に少なくとも部分的に基づいて、指定されたトーンの数(specified number of tones)に減らされることができる。コンスタレーションは、バイナリから四変へと拡張される(expanded)ことができ、また１サブセットのビット(one subset of bits)は、同相(in-phase)（Ｉ位相）について送信されることができ、そして別のサブセットのビット (another subset of bits)は直角位相(quadrature-phase)（Ｑ位相）について送信されることができるので、それぞれのシーケンスの制御チャネル情報は、高次変調（例、ＱＰＳＫ）を使用して、変調されることができ、そして、指定されたトーンの数にわたって送信されることができる。別の態様においては、コードワードは、マルチパスチャネルにおけるよりよい自己相関(a better autocorrelation)を提供するために、指定された長さ（例、各セットにおけるトーンの数と等しい）の特定複素擬似ランダム雑音(specific complex pseudo-random
noise)（ＰＮ）シーケンスによってスクランブルされることができる。
【００３８】
例えば、非コヒーレントシグナリングに基づいた、バイナリ直交変調を使用して制御チャネル情報の望ましいビットの数（例、８ビット）を送信するために、シグナリングは、（２５６,８）アダマールコードを含むことができ、そしてそのようなバイナリ直交シグナリングは、２8トーン（例、２５６トーン）を費やすことができる。複素直交変調を利用することによって、制御チャネル情報の望ましいビットの数を送信するために利用されたトーンの数は、例えば８ビットを送信するために１６トーンに、減らされることができる。一態様においては、制御チャネル情報の望ましいビットの数は、マルチプルセットのビット（例、２セットのビット）に分けられることができ、そして、各セットは、適切なアダマールコードを使用して個別にエンコードされることができる。コンスタレーションは、バイナリから四変へと拡張されることができ、４ビットは、Ｉ位相について送信されることができ、４ビットはＱ相について送信されることができ、そしてその結果、２8トーンを使用する代わりに（例、従来のバイナリ直交変調のとき）、２4トーンが使用されることができる。例えば、８ビットは、２セットの４情報ビットに分けられることができ、そして、各セットは、（１６，４）アダマールコードによって、個別にエンコードされることができる。２つの１６ロングリアルバイナリシーケンスは、１組の（ｃI,m，ｃQ,M）（ｍ＝０，１，…，２５５）によって表されることができる。バイナリシーケンスは、ｓm＝ｃI,m＋ｊｃQ,mによって変調され且つ１６トーンにわたって送信されるＱＰＳＫであることができる。
【００３９】
別の態様においては、コードワードは、マルチパスチャネルにおけるよりよい自己相関を提供するために、長さ１６のＵＥ特定複素ＰＮシーケンス(a UE specific complex PN sequence of length 16)によって、スクランブルされることができる。有効な帯域幅の縮小(significant bandwidth reduction)にも関わらず、例えば、  
【数２】
0005730813.tif 000003
【００４０】
のような２つの異なるコードワードの中の有効な相互相関(significant cross-correlation)のため、実践的な非コヒーレントシグナリングに、上記セットののＱＰＳＫコードワード(above set of QPSK codewords)を適用することが難しい可能性がある。コードワード間の相互相関が非コヒーレントシグナリングのパフォーマンスを管理する重要なパラメータであるということに注意してください。典型的に、異なるコードワードのペアは、Ｉ位相あるいはＱ位相のいずれかにおける差異のため、単一性の相関値(correlation value of unity)を有さないであろう。多くのケースにおいて、コードワードのペアの間で、一致するＱ位相ではなく、直交Ｉ位相がある可能性があってもよく、あるいはそれらが逆であってもよい。Ｉ位相及びＱ位相の両方が直交であるときにはいつでも、相関値（例、相関プロパティ）は０であることができるが、Ｉ位相及びＱ位相のいずれかが一致するが他の位相が直交である場合、あるいは第１のコードワードのＩ位相が第２のコードワードのＱ位相に一致するが、第１のコードワードのＱ位相が第２のコードワードのＩ位相に直交である場合、相関値は、１／２あるいは  
【数３】
0005730813.tif 000004
【００４１】
であることができる。原則は、複素コードワードがＩ位相あるいはＱ位相のいずれかにおいて完全な一致を有するところで、可能な限り（要求されるスペクトラル効率が達成できる程度まで）これらの高い相関のケースの多く（例、最悪なケースの相互相関値  
【数４】
0005730813.tif 000005
【００４２】
）を取り除くことが望ましい−もしＩ位相において完全な一致がある場合には、望ましくない相関がある可能性があり、もしＱ位相において完全な一致がある場合には、望ましくない相関がある可能性がある。もし、１つのコードワードのＩ位相が別のコードワードのＱ位相と完全に一致する場合には、そのようなコードワードに関しても同様に望ましくない相関がある可能性がある。例えば、平坦フェージングチャネル(flat fading channel)において、複素チャネル係数ｈによって乗算され、そして、正規化された分散(normalized variance)で背景雑音ベクトル(background noise vector)ｚによって加えられた後で、受信機（例、基地局１０２）は、  
【数５】
0005730813.tif 000006
【００４３】
を観察することができる。そのあと、最適な非コヒーレント受信機は、  
【数６】
0005730813.tif 000007
【００４４】
を最大化するコードワードを採択することができる。レイリーフェージングチャネル(Rayleigh fading channel)における順序Ｌのダイバーシティ受信（例、マルチパスあるいはマルチプル受信アンテナによる）のケースにおいては、最適メトリックは、  
【数７】
0005730813.tif 000008
【００４５】
で、  
【数８】
0005730813.tif 000009
【００４６】
に変更することができ、ここにおいて、  
【数９】
0005730813.tif 000010
【００４７】
は、コードワードのｌ番目のダイバーシティ受信であり、  
【数１０】
0005730813.tif 000011
【００４８】
は、ｌ番目ダイバーシティチャネルの長期平均パワー(long-term average power)であり、そして  
【数１１】
0005730813.tif 000012
【００４９】
は、有効コードワードの共通エネルギーである。チャネルプロファイル(channel profile)が測定可能ではないとき、αlは、αl＝１と設定されることができる。
【００５０】
典型的に、高い相互相関は、コードワードの長さが増えたとしても、上記の直交複素コード設計を減らさない、というのは、高い相関は、１次元を備えたコードワードの１次元の完全な衝突(perfect collision)から始まっており、そしてそれは、相関値１／２を結果としてもたらすことができ、あるいは２次元は、別のコードワードの相関値  
【数１２】
0005730813.tif 000013
【００５１】
を結果としてもたらすことができる。
【００５２】
別の実施形態にしたがって、独立リアルスクランブリングコード(independent real scrambling codes)は、非コヒーレント受信機（例、基地局１０２）において複素直交変調のピーク相互相関を減らすことを容易にするために各コードワードのＩ位相及びＱ位相について適用されることができる。例えば、ピーク相互相関  
【数１３】
0005730813.tif 000014
【００５３】
は、コードワードが以下の２つの条件を満たすときに、２つの複素直交コードワード、ｓｍ＝ｃＩ，ｍ＋ｊｃＱ，ｍとｓｎ＝ｃＩ，ｎ＋ｊｃＱ，ｎとの間で、生じることができる。
【００５４】
［条件１］  ｃＩ，ｍ＝ｃＱ，ｍ＝ｃＱ，ｎあるいはｃＩ，ｍ＝ｃＱ，ｍ＝ｃＩ，ｍ    （４ａ）
［条件２］  
【数１４】
0005730813.tif 000015
【００５５】
（４ｂ）
非コヒーレント受信機における複素直交変調のピーク相互相関を減らすために、独立リアルスクランブリングコードは、各コードワードのＩ位相及びＱ位相について適用されることができ、なお、第１のリアルスクランブリングコードは、Ｉ位相について適用されることができ、また、異なるリアルスクランブリングコードは、各コードワードのＱ位相について適用されることができる。Ｉ位相及びＱ位相についての２つのそれぞれのスクランブリングコードは、ａＩ及びａＱによって表されることができ、結果として生じる複素直交コードワードは、  
【数１５】
0005730813.tif 000016
【００５６】
の形を採ることができ、なお、オペレータ  
【数１６】
0005730813.tif 000017
【００５７】
は、ベクトルａ及びｂのエレメントワイズマルチプリケーション(an element-wise multiplication)として定義されることができる。別の態様において、コードワードは、マルチパスチャネルにおいてよりよい自己相関を供給するために、指定された長さ（例、上記の例において長さ１６）のＵＥ特定複素ＰＮシーケンスによって、さらにスクランブルされることができる。
【００５８】
２つの異なるコードワード、ｓｍ＝ｓＩ，ｍ＋ｊｓＱ，ｍとｓｎ＝ｓＩ，ｎ＋ｊｓＱ，ｎとの間の相互相関は、  
【数１７】
0005730813.tif 000018
【００５９】
を採択することができるので減らされる可能性があり、ここにおいて、  
【数１８】
0005730813.tif 000019
【００６０】
及び  
【数１９】
0005730813.tif 000020
【００６１】
は、ａＩ及びａＱの相互相関プロパティと、コードワードペアに依存することができる擬似ランダム変数である。ａＩ及びａＱは、ランダムバイナリシーケンス(random binary sequences)であるという仮定をすると、ＲＩ，Ｑ（ｍ，ｎ）及びＲＩ，Ｑ（ｎ，ｍ）は、シーケンス長さＮについて分散１／４Ｎで、ゼロ平均ガウスランダム変数(zero-mean gaussian random variables)として、近似されることができる(can be approximated)。したがって、ランダムスクランブリングシーケンスで、ピーク相関は、  
【数２０】
0005730813.tif 000021
【００６２】
（７）
によって統計的に説明されることができ、そしてそれは、Ｎが大きいとき、  
【数２１】
0005730813.tif 000022
【００６３】
よりも小さくなる可能性がある。Ｎ＝１６の例において（上記の例にしたがって、Ｎは１６に等しいように決定される）、典型的な相関値は、  
【数２２】
0005730813.tif 000023
【００６４】
となるように計算されることができる。しかしながら、最悪のケースの相互相関は、この典型的な相関値（ウェルチのより低いバウンド(Welch’s lower bound)）よりも大きい可能性がある。Ｉ位相とＱ位相との間の最悪のケースの相互相関が最小化されるあるいは減らされるように、ペアのスクランブリングシーケンスａＩ及びａＱを設計することによって、非コヒーレント復調のパフォーマンスは、改善されることができる。
【００６５】
別の実施形態にしたがって、制御チャネル情報のビットは、マルチプルサブセット(multiple subsets)に分割されることができ、そして該サブセット(the subsets)は、個別の時分割多重化（ＴＤＭ）あるいは周波数分割多重化（ＦＤＭ）リソースにわたって送信されることができ、ここにおいては、このようなビットの分割は、最悪のケースの相互相関プロパティを減らすこと及び／または制御すること、を容易にすることができる。開示された主題の一態様にしたがって、バイナリ直交変調は利用されることができ、第１サブセットのビットの制御チャネル情報(a first subset of bits of control channel information)は、第１サブセットのトーンにわたって受信機（例、基地局１０２）に対して送信されることができ、また、別のサブセットのビットの制御チャネル情報(another subset of bits of control channel information)は、別のサブセットのトーンにわたって受信機に対して送信されることができる。
【００６６】
結果、この実施形態において、作られた最悪のケースの相互相関は、よくても１／２の値を有することができ、第１サブセットあるいは第２サブセットのいずれかは、いくつかの他のコードワードに完全にアラインされる(aligned)かもしれないので、最悪のケースの相互相関プロパティ  
【数２３】
0005730813.tif 000024
【００６７】
は、コードワード間で遭遇しないであろう。第１サブセットのビット及び別のサブセットのビットの別々の送信を利用することによって、別々の帯域幅を使用して、最悪のケースの相互相関値  
【数２４】
0005730813.tif 000025
【００６８】
は、上記で説明された複素直交変調の例と比較して、回避されることができる。
【００６９】
例えば、８ビットの制御チャネル情報を含んでいる前例を続けると、８ビットの制御チャネル情報は、２サブセットの４情報ビットに分けられることができ、そして各サブセットは、（１６,４）アダマールコードによって別々にエンコードされることができる。２つの１６ロングリアルバイナリシーケンス（例、サブコードワード）は、バイナリ位相シフトキーイング(binary phase-shift keying)（ＢＰＳＫ）によって変調され、２セットの１６周波数トーンにわたってそれぞれ送信されることができる。各サブコードワードは、マルチパスチャネルにおいて改善された自己相関を提供するために、指定された長さ（例、この例では長さ１６）のＵＥ特定複素ＰＮシーケンスによってスクランブルされることができる。受信機（例、基地局１０２）においては、２セットのリソースにわたって送信された情報ビットは、ピークエネルギー検出器（例、例においては、１６のうち１）によって別々にデコードされ、長さ１８ビットのオリジナル情報ビットシーケンスを回復するために、鎖状につなげられる(concatenated)ことができる。
【００７０】
８ビットの制御チャネル情報を送信するケースの例においては、３２トーンが８情報ビットを送信するように使用されており、そしてそれは、複素直交変調のために使用された１６トーンよりも大きいが、プリミティブシングルバイナリ直交変調(primitive single binary orthogonal modulation)のために使用された２５６トーンよりもはるかに小さい。両方の複数サブセットの情報ビット(both subsets of information)がデコードされることが成功したときには、デコードは成功であるということが記載されている。相互相関の点から、正規化された作られた最悪のケースの相互相関(the normalized worst-case cross-correlation produced)は１／２であることができ、そしてそれは、２つのコードワードの第１のあるいは第２のサブコードワードのいずれかが一致するときに生じることができる。したがって、複素直交変調と比較して、最悪のケースの相互相関は、２倍の帯域幅消費（例、１６トーンの代わりに３２トーン）という代償を払って、  
【数２５】
0005730813.tif 000026
【００７１】
から１／２へと改善されることができる。
【００７２】
さらに、２つのリソースが異なるチャネルを経験する場合にマルチプルリアル直交変調は、各サブコードワード（例、１６トーン）の短い長さ（あるいは逆拡散期間）のためマルチパス抵抗パフォーマンスの点において効率的でないかもしれないので、コヒーレント時間及びコヒーレント帯域幅内で２つのサブコードワードを一緒に割り付けることが望ましい可能性がある。ランダムシーケンスの自己相関の正規化されたピーク外の値は、大体  
【数２６】
0005730813.tif 000027
【００７３】
であることができ、ここにおいて、Ｎは、拡散ファクタ（あるいは積分の長さ(integration length)）である。したがって、上記の例において、２セットの１６トーンが別々に送信される場合、マルチパス抵抗は、大体  
【数２７】
0005730813.tif 000028
【００７４】
であることができる３２トーンについてのマルチパス抵抗と比較して、大体  
【数２８】
0005730813.tif 000029
【００７５】
にデグレードされる(degraded)ことができる。
【００７６】
別の実施形態にしたがって、削除ベースの複素直交コードは設計されることができ、そして、受信機（例、別の通信デバイス）への制御チャネル情報の送信を容易にするために、モバイルデバイス（例えば１１６）および／または基地局１０２のような通信デバイスによって利用されることができる。一態様においては、削除ベースの複素直交コードは、ここにおいて説明されているように、２つのハイレート直交変調技術(high-rate orthogonal modulation techniques)の組み合わせを通じて設計されることができる。望ましくないコードワード（例、最悪のケースの相互相関値（単数または複数）に関連づけられたコードワードペア）は該セットの利用可能なコードワード(the set of available codewords)から削除される、コードを設計することは、制御チャネル情報の帯域幅効率送信を容易にすることができる。例えば、相関  
【数２９】
0005730813.tif 000030
【００７７】
をつくるすべてのコードワードのペアを削除すること、あるいは、可能な限り多くそのようなコードワードのペアを少なくとも削除すること、が望ましい可能性がある。したがって、１つのコードワードのＩ位相及びＱ位相の両方が、例えば、別のコードワード（ここにおいて説明されているように、式４ａ及び４ｂにそれぞれ関連づけられた条件１及び条件２を満足させるコードワードペア）のＩ位相あるいはＱ位相のいずれかと一致しているコードワードペアを削除することが望ましい可能性がある。
【００７８】
一態様にしたがって、複素直交変調（例えばＱＰＳＫ）は、使用されることができ、１セットのコードワードは、あらかじめ定義されたコードワード基準に少なくとも部分的に基づいて、生成されることができる。さらに、１サブセットのコードワード、例えば最悪のケースの相互変調値（例、  
【数３０】
0005730813.tif 000031
【００７９】
）を作るコードワード、はあらかじめ定義されたコードワード基準に少なくとも部分的に基づいて、削除されることができる。さらに、あらかじめ決定されたコードワード基準に少なくとも部分的に基づいて、制御チャネル情報の望ましいビットの数の送信を容易にすることができる、残っている望ましい（例、最小）数のコードワードがあるように、該セットのコードワードのコードワードの数(a number of codewords of the set of codewords)は削除されそして廃棄されることができ、なお、このような廃棄されるコードワードあるいはそれらの一部分は、他の目的（例、干渉レベル推定、消失検出、マルチモード制御チャネル、等）のために使用されることができる。あらかじめ定義されたコードワード基準は、例えば、利用可能な帯域幅(available bandwidth)、該セットのコードワードにおけるコードワードの数(the number of codewords in the set of codewords)、与えられた時間において送信される予定である制御チャネル情報のビットの数(the number of bits of control channel information to be transmitted at a given time)、それぞれのペアのコードワードの相互相関値(the cross-correlation value of a respective pair of codewords)、使用されることが望まれる直交変調送信のタイプ(a type of orthogonal modulation transmission desired to be used)、コードワード間の定義された最悪のケースの相互相関値(a defined worst-case cross-correlation value between codewords)、制御チャネル情報の送信を容易にするために使用されるトーンの数(a number of tones employed to facilitate transmission of control channel information)、他の目的（例、干渉レベル推定、消失検出、あるいはマルチモード制御チャネル）について利用可能であることがのぞまれる廃棄されるコードワードの数、および／または他の要因、に関することができる。
【００８０】
一態様においては、１セットのあらかじめ決定された長さのリアルバイナリ直交（例、アダマール）シーケンス(a set of predetermined length real binary orthogonal (e.g., Hadamard) sequences)は、生成されることができる。そのセットのシーケンスにおける異なるシーケンスのペアは、選択されることができ、そしてそれは、選択されたシーケンスに少なくとも部分的に基づいて、ある数の利用可能なコードワード(a certain number of available codewords)を結果としてもたらすことができる。選択された異なるシーケンスは、制御チャネル情報（例、ＣＱＩＣＨ）の望ましいビットの数を送信することが必要とされる少なくともコードワードの数を結果としてもたらすものであることができる。さらに、異なるシーケンスのうちの１つは、Ｉ位相のために使用されることができ、また、他の異なるシーケンスは、複素コードワードを作るために、Ｑ位相のために使用されることができる。制御チャネル情報のビットの送信を容易にするように要求されるコードワードの数を超えて追加のコードワードがある場合には、追加のコードワードは、望ましいスペクトル効率（例、与えられたトーンの数についての望ましい数の有効コードワード）を満たすために削除されそして廃棄されることができる。廃棄されるコードワードは、干渉レベル推定、消失検出、マルチモード制御チャネルオペレーション等のような、他の目的のために使用されることができる。
【００８１】
例えば、８ビットの制御チャネル情報を送信することが望ましい例を続けると、削除された複素直交コードは、次のように生成されることができる。{ｃｌ:ｌ＝０，１，…，２３}による１セットの２４ロングリアルバイナリ直交（アダマール）シーケンスは、生成されることができる。２４バイナリ直交シーケンスから異なるシーケンスのペア  
【数３１】
0005730813.tif 000032
【００８２】
は選択されることができ、そしてそれは、  
【数３２】
0005730813.tif 000033
【００８３】
の利用可能なコードワード（例、（２４・２３）／２＝２７６コードワード）を供給することができる。例えば、２３アダマールコードワードはなく、次の最小で利用可能なアダマールコードワードが少なくとも望ましい利用可能なコードワードの数を作ることができない２０であるとき、２４アダマールコードワードが、８ビットの制御チャネル情報の送信を容易にするために、少なくとも望ましい利用可能なコードワードの数（例、２５６コードワード）を結果としてもたらす最小のものであることができる。８ビットの制御チャネル情報の送信を適応するために２５６コードワードを有することが望ましいので、１サブセットの２５６コードワードは、あらかじめ定義された設計基準（例、あらかじめ定義されたコードワード基準）を適用することによって選択されることができ、そして、選択されなかったコードワードは、削除され、廃棄されることができる。一態様において、廃棄される２０コードワードは、他の目的（例、干渉レベル推定、消失検出、マルチモード制御チャネルオペレーションにおける使用、等）のために使用されることができる。長さ２４のｋ番目の削除された複素直交コードワードは、  
【数３３】
0005730813.tif 000034
【００８４】
によって生成されることができ、なお、スクランブリングコードｂＩ＋ｊｂＱは、利用されることができ、マルチパスチャネルにおけるよりよい自己相関を提供するために使用されることができる、通信デバイス特定の正規化された複素ＰＮシーケンス(a communication device-specific normalized complex PN sequence)であることができる。上記の式に関して、オペレータoは、ベクトル（例、ここに定義されているように）のエレメントワイズマルチプリケーションを示しており、(ｃｍ（ｋ）,ｃｎ（ｋ）)は、ｋ番目のコードワードに対応する、別個のバイナリ直交シーケンスのペアであることができる。設計されたコードワードは、複素コードワードであり、複素コードワードは、共通の複素ＰＮシーケンスによって乗算されるので、相関構造において変更がなく、そしてそれは、望ましい、また、各コードワードがよりロバスト(robust)であることができ、そしてマルチパス干渉をよりよく抑圧することができるので、各コードワードの自己相関プロパティにおける改善がある可能性がある。
【００８５】
削除によって設計されたセットにおけるいずれの２つの複素直交シーケンス間の最悪のケースの正規化された相互相関は、条件１及び２（例、式４ａ及び４ｂに関連して、ここでは説明されている）がコード設計において適用されるコードワード削除条件（  
【数３４】
0005730813.tif 000035
【００８６】
）のため満たされることができないので、１／２となる。ここにおいて前に説明された複素直交変調を通じてある非コヒーレントシグナリングスキーム(certain of the non-coherent signaling schemes)は、それぞれ、より大きい相互相関値  
【数３５】
0005730813.tif 000036
【００８７】
を有することができるが、マルチプルリアル直交変調あるいはコヒーレント第２次ＲＭコードはまた、最悪のケースの相互相関１／２を有するという点に注意してください。
【００８８】
他方では、送信通信デバイス（例、モバイルデバイス１１６）は、受信機（例、基地局１０２）に対する非コヒーレントシグナリングを通じて、２４トーンにわたって８ビットの制御チャネル情報を送信することを容易にするために削除ベースの複素直交変調を利用することができ、そしてそれは、帯域幅効率の点からマルチプルリアル直交変調よりもよく、そしてそれは、受信機に８ビットの制御チャネル情報を送信するために３２トーンを使用する。さらに、削除ベースの複素直交変調は、逆拡散の長さがコードワードの長さと等しくなる可能性があるので、マルチパス干渉抑圧効率の点においてマルチプルリアル直交変調よりもよりよいことができる。例えば、２４トーンを使用しているこの例において、抑圧機能(suppression capability)は、１／２４に比例することができ、そしてそれは２セットの１６トーンに分割される３２トーンを使用している例と比較して、改善された抑圧機能であることができ、そしてそれは１／１６に比例する抑圧機能を有することができ、前の例（例、２４トーン）において、全体の割り付けられたスペクトラムは、後の例（例、２セットの１６トーン）における２つの別々のコードワードピース(codeword pieces)の代わりに、コードワードの１ピース(one piece)のために使用されることができる。
【００８９】
別の態様にしたがって、受信機（例、通信デバイス、例えば基地局１０２あるいはモバイルデバイス１１６）は、受信機の複雑さを減らすために、最適デコードの代わりに（式（２）−（３）に関してここにおいて説明されているように）サブ最適マルチピーク非コヒーレントデコードを利用することができるが、サブ最適マルチピーク非コヒーレントデコードは、デコードパフォーマンスを潜在的にデグレードすることができる。このケースにおいては、相関メトリック  
【数３６】
0005730813.tif 000037
【００９０】
を得るために、受信機は、リアル直交ベクトルセット{ｃｉ}とデスクランブルされたオブザベーションベクトル  
【数３７】
0005730813.tif 000038
【００９１】
との間の相関を評価することができ、ここにおいて、（ｂＩ−ｊｂＱ）は、デスクランブリングシーケンスであることができ、また、ｙは、受信された信号であることができる。２４バイナリコードワードのうちの１つのリアルコードワードをデスクランブルされた複素受信信号と乗算することによって、相関結果のＩ位相及びＱ位相は、式（８）で実現されることができる。デコードメトリックは、例えば  
【数３８】
0005730813.tif 000039
【００９２】
あるいは  
【数３９】
0005730813.tif 000040
【００９３】
によって、計算され、比較されることができる。
【００９４】
別の態様においては、制御チャネル情報の望ましいビットの数を送信するために利用されたトーンの数は、さらに減らされることができ、および／または、他の望ましい目的に利用可能な廃棄されるコードワードの数は、削除ベースの複素直交変調を拡張することによって増加させられることができる。一態様にしたがって、  
【数４０】
0005730813.tif 000041
【００９５】
は、直交コードワード（共通スクランブリングコードを除く）のそれぞれのＩ位相及びＱ位相を取り替えることによって得られることができ、コードワードの中で相互相関に対するデグレーションなしでセットサイズ(set size)を２倍にするために、該セットの削除ベースの複素直交コードワード(the set of the expurgation-based complex orthogonal codewords)に加えられることができる、というのは、  
【数４１】
0005730813.tif 000042
【００９６】
は、  
【数４２】
0005730813.tif 000043
【００９７】
に直交であるためであり、そしてそれはｃｍ（ｋ）がｃｎ（ｋ）に直交であり、ベクトルｃｍ（ｋ）,ｃｎ（ｋ）,ｂＩ,ｂＱの各エレメントは、一定の大きさ（例、＋１あるいは−１）を有するとき正しい。そのような直交関係であれば、該セットの削除された複素直交コードワードに対する  
【数４３】
0005730813.tif 000044
【００９８】
の追加は、コードワードの中で相互相関プロパティをデグレードしないが、該セットの削除された複素直交コードワードに対する  
【数４４】
0005730813.tif 000045
【００９９】
のそのような追加はセットサイズを２倍にすることができる。
【０１００】
利用可能なトーンの数がＮであるとき、オリジナル削除ベースの複素直交コードのセットサイズは、  
【数４５】
0005730813.tif 000046
【０１０１】
であるが、拡張されたセットサイズは、  
【数４６】
0005730813.tif 000047
【０１０２】
であることができる。結果、８ビットの制御チャネル情報の例において、２５６コードワードが、送信通信デバイス（例、モバイルデバイス１１６）から受信機（例、基地局１０２のような通信デバイス）へと８ビットの送信を容易にするために望まれており、Ｎ（Ｎ−１）≧２５６を満足させる最小のトーンの数は、１７である。したがって、{ｃｌ：ｌ＝０，１，．．．，１９｝による２０−ロングリアルバイナリアダマールシーケンスは、前の例において使用されるように、２４ロングリアルバイナリアダマールシーケンスの代わりに利用されることができる。拡張されたセットサイズは、３８０コードワード（例、２０・１９＝３８０コードワード）を結果としてもたらすことができる。３８０の拡張された削除ベースの複素直交コードワードのうち、１サブセットの２５６ワードは、あらかじめ定義された設計の基準（例、あらかじめ定義されたコードワード基準）に少なくとも部分的に基づいて、選択されることができる。他の１２４のコードワードは廃棄されることができ、また、廃棄される１２４のコードワードは、他の目的（例、干渉レベル推定、消失検出、マルチモードチャネルオペレーションの使用、等）に使用されることができる。他の望ましい目的に利用可能な１２４の廃棄されるコードワードは、前の例で利用可能な２０の廃棄されるコードワードよりも(over)著しい増加である。さらに、この拡張されたコードは、８ビットの制御チャネル情報を受信機に送信するために２０ＱＰＳＫトーンを使用する、一方で、正規化された最悪のケースの相互相関値１／２を維持する。拡張された削除ベースの直交コードワードを使用するときには、対応する受信機（例、通信デバイス）は、ここにおいて説明されているように、最適な非コヒーレント検出を利用すべきである。
【０１０３】
また別の態様にしたがって、消失デコードは、制御チャネル情報の送信の間に受信信号のデコード及び消失検出を容易にするために非コヒーレントシグナリングで適用されることができる。削除ベース（あるいは拡張された削除ベースの）の複素直交変調を利用するとき、廃棄されるワードは、消失デコードのような他の目的について使用されることができ、また、消失デコードのために利用されるとき、廃棄されるコードワードは、消失検出のためにスレッシュホールドを制御することを容易にするために使用されることができる。
【０１０４】
例えば、廃棄されるコードワードは、制御チャネル信号の送信の一部分として使用されないので、送信が受信されるとき、廃棄されるコードワード、あるいはそれらの一部分は、消失デコードあるいは他の目的のために利用されることができる。廃棄されるコードワードは、干渉レベル（例、干渉レベル推定）を測定することあるいは推定することを容易にできる、入ってくる信号(incoming signal)で相関されることができる。そのような廃棄されるコードワードを使用して背景雑音レベル(background noise level)を測定することが利益的である可能性がある。さらに、スレッシュホールドのレベルは、廃棄されるコードワードを使用して、うまくチューニングされる(fine tuned)ことができる。
【０１０５】
消失デコードを適用するための様々な技術があることができる。一態様においては、受信機（例、基地局１０２あるいはモバイルデバイス１１６のような通信デバイス）は、非コヒーレントシグナリングに対して消失デコードを利用することができる。受信機は、制御チャネル情報の送信の間に、非コヒーレント信号を受信することができる。例えば、受信機は、モバイルデバイス（例、１１６）から制御チャネル情報を受信することができる基地局１０２であることができる。
【０１０６】
受信機は、例えばここにおいて式（２）−（３）に関して説明されているように、最大可能性(maximum likelihood)（ＭＬ）デコードによってコードワードを決定することができる。受信機は、決定されたコードワードに対して完全に直交である（例、相互相関０）コードワードを選択することができる。受信機は、選択されたコードワードに対応するデコーダ出力エネルギー値の平均(average of the decoder output energy values corresponding to the selected codewords)を計算することができる。受信機は、決定されたコードワードのエネルギー値(energy values of the determined codewords)と、選択されたコードワードに対応する平均デコーダ出力エネルギー値との間の差異（あるいは、代替的に、比）を決定することができる。受信機は、決定されたコードワードのエネルギー値と、選択されたコードワードに対応する平均デコーダ出力エネルギー値との間の差異（あるいは、代替的に、比）のメトリックがデコード結果に関連づけられたあらかじめ決定されたスレッシュホールドのレベル(a predetermined threshold level)よりも大きいあるいは等しいかどうかを決定することができる。そのようなメトリックは、あらかじめ決定されたスレッシュホールドのレベルよりも大きいあるいは等しい場合には、受信機は、デコード結果が有効であるということを決定することができ、また、そのようなメトリックは、あらかじめ決定されたスレッシュホールドのレベルよりも小さい場合には、受信機は、デコード結果は有効ではないということを決定することができ、そして、消失(erasure)を宣言することができる。
【０１０７】
また別の態様にしたがって、決定されたコードワードは、制御チャネル情報の送信の間に、受信信号のデコードを容易にするために、非コヒーレントシグナリングにおける消失デコードのアプリケーションを容易にする既知シーケンスであるかのように使用されることができる。受信機（例、基地局１０２のような通信デバイス）は、伝播チャネル係数を推定するために、デコードが正確であるという仮想で、決定されたコードワードを利用することができる。決定されたあるいは宣言されたコードワードは、参照信号(reference signal)あるいはパイロット信号として利用されることができ、そしてそれは、制御チャネルを構築することを容易にするために利用されることができる。チャネルを構築した後で、チャネルパワーは、測定されることができる。受信機は、受信信号から決定されたコードワードに対応する信号コンポーネントを取り除く（例、差し引く）ことができる。受信機は、背景雑音レベルを推定するために、残りの信号（例、受信信号から信号コンポーネントを取り除いた後で）の平均パワーを計算することができる。デコードが不正確である場合には、背景雑音レベルは高くなるであろうということは、注目されるべきである。受信機は、チャネル推定（例、伝播チャネル係数の推定）及び雑音レベル推定に少なくとも部分的に基づいて信号対雑音比(signal-to-noise ratio)（ＳＮＲ）を計算することができる。
【０１０８】
ここにおいて説明される消失デコードのアプリケーションは、消失デコードを実行するために利用されることができる多くの技術のうちの一つであることが理解されるべきであり、そして、主題のイノベーションは、他の技術が受信された非コヒーレント信号の消失デコードを実行するために受信機あるいは他のコンポーネントによって利用されることができるということを主題のイノベーションが熟考するので、それほど限定されていない。受信機は、有効なデコード結果を決定するために、ＳＮＲがあらかじめ決定されたスレッシュホールドのレベルよりも大きいあるいは等しいかどうか、を決定することができる。受信機が、ＳＮＲがあらかじめ決定されたスレッシュホールドのレベルよりも大きいあるいは等しいということを決定する場合、受信機は、決定されたコードワードが有効なデコード結果であるということを決定することができる。受信機が、ＳＮＲがあらかじめ決定されたスレッシュホールドのレベルよりも小さいということを決定する場合には、受信機は、決定されたコードワードが有効なデコード結果ではないということを決定することができ、そして、受信機は、消失(erasure)を宣言することができる。
【０１０９】
また、開示された主題の一態様にしたがって、通信デバイス（例、モバイルデバイス１１６、基地局１０２）は、マルチモード制御チャネルのために、廃棄されるコードワードを利用することができる。例えば、第１タイプの制御チャネル情報（例、ＣＱＩＣＨ）の送信のためにコードワードの選択数を使用することに加えて、通信デバイスは、受信通信デバイスへの１以上のタイプの制御チャネル情報（例、ＰＭＩＣＨ，ＳＲＣＨ，等）の送信を容易にするために、他のコードワード（例、廃棄されるコードワード）を利用することができる。あらかじめ決定された数のＣＱＩＣＨのビットおよび／またはあらかじめ決定された数の他の制御チャネル情報（例、ＰＭＩＣＨ、ＳＲＣＨ、等）のビットは、例えば、ここにおいて説明されるような、利用可能な帯域幅、利用可能なコードワード、トーンの数、直交変調のタイプ、および／または他の要因、に関連づけられることができるあらかじめ定義されたコードワード基準に少なくとも部分的に基づいて、送信通信デバイス（例、モバイルデバイス１１６）から受信通信デバイス（例、基地局１０２）へと送信されることができる。
【０１１０】
ＣＱＩＣＨとＰＭＩＣＨとの間で設計されたコードのマルチモードオペレーションは、例えば、プレコーダの変更率(changing rate of the precoder)がチャネルＳＮＲの変更率よりも著しく遅い場合には、望ましい可能性がある。一態様においては、送信デバイス（例、モバイルデバイス１１６）は、プレコーダをアップデートするように望まれる（例、必要である）ときに、受信機（例、基地局１０２）に対してＰＭＩＣＨを送信することができる。そうでなければ、ＣＱＩＣＨは、単独で送信されることができ、あるいはＣＱＩＣＨ及び他の制御チャネル情報（例、ＳＲＣＨ）は、望まれるときに(as desired)、送信されることができる。ＰＭＩＣＨによるＣＱＩＣＨのまれな置き換え(infrequent replacement)は、ＡＭＣオペレーションに著しく影響を与えないであろう。開示された主題の態様にしたがって、１以上のタイプの制御チャネル情報を送信するマルチモードオペレーションは、消失デコード、干渉レベル推定等のような他の目的のために、削除されたコードワードを使用することに関連して、行われることができる。
【０１１１】
例えば、８ビットの制御チャネル（例、ＣＱＩＣＨ）情報の前の例を続けると、拡張された削除ベースの複素直交変調を利用し２０ＱＰＳＫトーンを使用することによって、３８０の利用可能なコードワードがあることができる。２５６コードワードは、３８０の利用可能なコードワードから選択されることができ、そして、送信デバイス（例、モバイルデバイス１１６）から受信デバイス（例、基地局１０２）へのＣＱＩＣＨ送信を容易にするために利用されることができる。残りの１２４コードワードは、他の目的のために利用可能であることができる廃棄あるいは削除されたコードワードであることができ、ここにおいて、例えば、廃棄されるコードワードの一部分は、他の制御情報の送信を容易にするために利用されることができる。設計されたコードがＣＱＩＣＨ及びＰＭＩＣＨ（および／またはＳＲＣＨ等）のために使用される場合には、８ビットＣＱＩＣＨあるいは６ビットＰＭＩＣＨは、送信通信デバイスから受信通信デバイスへと送信されることができ、ここにおいて、６ビットＰＭＩＣＨ送信については、ＰＭＩＣＨは、１２４の利用可能な廃棄されるコードワードのうち６４の廃棄されるコードワード(64 of the discarded codewords of the 124 available discarded codewords)を使用して、送信されることができ、そして、６０の廃棄されるコードワードが残ることができる、そしてそれは、例えば、消失デコードのスレッシュホールドを調節することを容易にするために、あるいは第３の制御チャネル（例、ＳＲＣＨ、アップリンクリソース割り付けに関連づけられたリクエスト）を配信するために、他の目的のために利用されることができる。該セットのコードワードはＣＱＩＣＨとＰＭＩＣＨとの間で区別できるので、受信通信デバイス（例、基地局１０２）は、デコードが成功した場合に受信された信号がＣＱＩＣＨあるいはＰＭＩＣＨのためかどうかのデコード結果を適切に解釈することができる。
【０１１２】
同じ方法あるいは同様な方法で、送信通信デバイスから受信通信デバイスへと７ビットＣＱＩＣＨを送信することを望む場合には、拡張された削除ベースの複素直交変調を利用して、１６ＱＰＳＫトーンが使用されることができ、２４０コードワードは、トーンの数に少なくとも部分的に基づいて、設計され、利用可能であることができる。７ビットＣＱＩＣＨあるいは６ビットＰＭＩＣＨは送信されることができ、そしてそれは、１９２コードワードを利用することができ、また、４８の廃棄されるコードワードは、残ることができ、そして他の望ましい目的のために使用されることができる。代替的に、１２ＱＰＳＫトーンは、選択されることができ、１３２のコードワードは、７ビットＣＱＩＣＨだけを送信するために、設計され、利用可能であり得る。ＰＭＩＣＨ及び／またはＳＲＣＨ送信について望ましい帯域幅に部分的に基づいて、追加のＱＰＳＫトーンは、後者の設計の場合については、望ましいことがあり得る。
【０１１３】
主題のイノベーションは、別の通信デバイスに対して通信デバイスによって制御チャネル情報の帯域幅効率非コヒーレントシグナリングのために複素シーケンスを利用することができる。様々な態様及び実施形態にしたがって、主題のイノベーションは、複素直交コードを利用することができ、そして、望ましい相互相関プロパティを有することができる帯域幅効率非コヒーレントシグナリングセットのコードワードを作るために複素直交コードから最悪のケースのコードワードを削除することができる。さらに、様々な態様及び実施形態にしたがって、設計されたコードワードをマルチプルサブセットのコードワード(multiple subsets of codewords)を区分することによって、複素直交コードは、帯域幅効率をさらに改善するために、ＣＱＩＣＨ、ＰＭＩＣＨ、および／またはＳＲＣＨのような、１つまたは複数の制御チャネルのために利用されることができる。
【０１１４】
図２を参照すると、開示された主題の一実施形態にしたがって通信デバイス間の情報の送信を容易にするために、コードワードの設計及び／または生成を容易にすることができるシステム２００が図示されている。システム２００は、例えば制御チャネル情報、消失デコード情報、干渉レベル推定情報、及び／または、通信デバイス（例、モバイルデバイス１１６）と受信通信デバイス（例、基地局１０２）との間の他の情報のような、情報の送信を容易にするために利用されることができるコードワードを設計すること及び／または生成することを容易にするように構成されることができる装置２０２を含むことができる。一実施形態にしたがって、装置１０２は、コードワードを設計すること且つ生成することを容易にすることができる、コンピュータあるいは他のコンピューティングデバイスであることができる。装置２０２は、例えばシステム１００に関連して、ここにおいてより十分説明されているもののようなコードワードを設計すること及び／または生成することに関連づけられた、同じあるいは同様の機能性を備えることができるということが理解されるべきである。例えば、装置２０２は、通信デバイス間で非コヒーレントシグナリングを使用して、帯域幅効率方法で(in a bandwidth-efficient manner)、情報（例、制御チャネル情報、消失デコード情報、等）を送信することを容易にするために、バイナリ直交変調、複素直交変調、削除ベースの複素直交変調、拡張された削除ベースの複素直行変調等に関連づけられたコードワードを、構成すること及び／または生成することを容易にすることができる。
【０１１５】
装置２０２は、コードワードを生成することができるコードワード生成器２０４を備えることが出来る。コードワードは、望ましい設計を備えたコードワードを得るために、あらかじめ定義されたコードワード基準に少なくとも部分的に基づいて生成されることができる。あらかじめ決定されたコードワード基準は、例えば、利用可能な帯域幅、該セットのコードワードにおけるコードワードの数、与えられた時間において送信される予定である制御チャネル情報のビットの数、それぞれのペアのコードワードの相互相関値、使用されることを望まれる直交変調送信のタイプ（例、バイナリ直交変調、複素直交変調、削除ベースの複素直交変調、拡張された削除ベースの複素直交変調、等）、定義されたコードワード間の最悪なｋ−エスの相互相関値(a defined worst-case cross-correlation value between codewords)、制御チャネル情報の送信を容易にするために利用されることができるトーンの数、他の目的（例、干渉レベル推定、消失検出、マルチモード制御チャネル、等）について利用可能であることが望まれる廃棄されるコードワードの数、および／または、他の要因、に関することができる。
【０１１６】
別の態様にしたがって、装置２０２は、コードワード生成器２０４に関連づけられることができるイクスパゲータ２０６を含むことができる。１セットのコードワードは、生成されることができ、イクスパゲータ２０６は、あらかじめ定義されたコードワード基準に少なくとも部分的に基づいて、該コードワードセットの１サブセットのコードワード(a subset of the codewords of the codeword set)を削除することを容易にすることができる。例えば、イクスパゲータ２０６は、最悪のケースの相互相関値（例、  
【数４７】
0005730813.tif 000048
【０１１７】
）および／または他の望ましくない相互相関値、を作るコードワードのペアを削除することを容易にすることができる。一実施形態において、イクスパゲータ２０６は、コードワード削除条件  
【数４８】
0005730813.tif 000049
【０１１８】
を利用することによって、いずれの２つの削除された複素直交シーケンス間の最悪のケースの相互相関が１／２（  
【数４９】
0005730813.tif 000050
【０１１９】
の反対）であるように削除ベースの複素直交コード（および／または拡張された削除ベースの直交コード）を構成することを容易にすることができるので、ここにおいて説明されているように、式４ａ及び４ｂに関連づけられた条件１及び２が満たされることが出来ない。
【０１２０】
また別の態様において、イクスパゲータ２０６はまた、望ましいスペクトラル効率（例、与えられたトーンの数について望ましい有効コードワードのあらかじめ決定されたスレッシュホールドの数）を満たす、そのようなコードワードを廃棄するように望ましいコードワードの数を削除することを容易にすることができる。該コードワードセットにおける残りのコードワード(remaining codewords in the codeword set)は、ある制御チャネル情報(a certain control channel information)（例、ＣＱＩＣＨ）の送信を容易にするために利用されることができるコードワードとして、選択されることができる。廃棄されるコードワードは、望まれるように、消失デコード、干渉レベルの推定及び／またはマルチモード制御チャネルオペレーション（例、ＰＭＩＣＨ及び／またはＳＲＣＨのような他の制御チャネル情報の送信を容易にするため）のような他の目的のために利用されることができる。
【０１２１】
装置２０２はまた、データストア２１０、コードワード生成器２０４、そしてイクスパゲータ２０６に結合されることができるプロセッサ２０８を備えることができ、そして、通信デバイス間で制御チャネル情報を含んでいる情報を送信することを容易にするために、コードワードを設計すること及び／または生成すること、コードワードを選択すること、コードワードを削除すること、等を容易にするために、データを処理すること及び／または分析することができる。
【０１２２】
装置２０２は、送信される予定であるデータ、受信データ、コードワードの生成とコードワードの削除と制御チャネル情報（例、複素直交変調、削除ベースの複素直交変調、及び／または拡張された削除ベースの複素直交変調等に関連づけられた情報）の送信あるいは受信とに関連づけられた情報、消失デコードおよび／または干渉レベル推定に関する情報、及びモバイルデバイス（例、１１６）と基地局１０２のような通信デバイス間で制御チャネル情報のような情報の送信及び／または受信を容易にするコードワードを設計すること及び／または生成することを容易にすることができるいずれの他の適切な情報、を保存することができることができ且つプロセッサ２０８に操作的に結合されたデータストア２１０、をさらに含むことができる。データストア２１０は、コードワードを設計すること及び／または生成すること、コードワードを削除すること、直交変調（例、バイナリ直交変調、複素直交変調、削除ベースの複素直交変調、及び／または拡張された削除ベースの複素直交変調等）、消失デコード、干渉レベル推定、等に関連づけられた、プロトコル及び／またはアルゴリズムをさらに保存することができる。
【０１２３】
ここにおいて説明されるデータストア２１０は、揮発性メモリ及び／または不揮発性メモリを備えることができるということが理解されるであろう。例として、そして制限するものではなく、不揮発性メモリは、読み取り専用メモリ（ＲＯＭ）、プログラマブルＲＯＭ（ＰＲＯＭ）、電子的プログラマブルＲＯＭ（ＥＰＲＯＭ）、電子的消去可能なＰＲＯＭ（ＥＥＰＲＯＭ）、フラッシュメモリ、および／または不揮発性ランダムアクセスメモリ(nonvolatile random access memory)(ＮＶＲＡＭ)、を含むことができる。揮発性メモリは、ランダムアクセスメモリ（ＲＡＭ）を含むことができ、そしてそれは、外部キャッシュメモリとして作用することができる。例として、そして制限するものではなく、ＲＡＭは、シンクロナスＲＡＭ（ＳＲＡＭ）、動的ＲＡＭ（ＤＲＡＭ）、シンクロナスＤＲＡＭ（ＳＤＲＡＭ）、ダブルデータレートＳＤＲＡＭ（ＤＤＲ ＳＤＲＡＭ）、エンハンスドＳＤＲＡＭ（ＥＳＤＲＡＭ）、Ｓｙｎｃｈｌｉｎｋ ＤＲＡＭ（ＳＬＤＲＡＭ）、及びダイレクトランバスＲＡＭ（ＤＲＡＭ）、のような多くの形態において利用可能である。主題のシステム及び方法のデータストア２１０は、限定されることなく、これら及びいずれの他の適切なタイプのメモリを備えるように意図されている。
【０１２４】
図３−７を参照すると、ワイヤレス通信環境において帯域幅効率非コヒーレントシグナリングについて複素シーケンスを利用することに関する方法が図示されている。説明の簡潔さのために、一連の動作として、方法が示され、説明されているけれども、いくつかの動作は１つまたは複数の実施形態にしたがってここにおいて説明され示されるものから他の動作と異なる順序及び／または同時に起こることができるので、方法は動作の順序によって限定されるものではないということが理解され、そして認識されるべきである。例えば、当業者は、方法は、例えばステート図におけるように、一連の関連のステートあるいはイベントとして代替的に表わされることができるであろうということを理解し、認識するであろう。さらに、かならずしもすべての図示された動作は、１つまたは複数の実施形態にしたがって、方法をインプリメントするように要求されることができるとは限らない。
【０１２５】
図３を参照すると、ワイヤレス通信システムに関連づけられた情報（例、制御チャネル情報）を送信することを容易にすることができる方法３００が図示されている。３０２において、１セットのコードワードが生成されることができる。一態様において、コードワードは、送信通信デバイス（例、モバイルデバイス１１６）と受信通信デバイス（例、基地局１０２）との間の制御チャネル情報の送信を容易にするために生成されることができる。別の態様においては、コードワードは、帯域幅効率非コヒーレントシグナリングを容易にするためにＢＰＳＫあるいはＱＰＳＫに基づいて、設計されることができる。例えば、帯域幅効率を促進させる(facilitate)ために、複素直交変調は、利用されることができ、そして制御チャネル送信に関連づけられた非コヒーレント信号についての高次変調（例、ＱＰＳＫ）は、制御チャネル情報を送信することに使用されるトーンの数を減らすことを容易にするために利用されることができる。
【０１２６】
３０４において、あらかじめ定義されたコードワード基準に少なくとも部分的に基づいて（例、ここにおいてより十分に説明されるように）サブセット（単数または複数）のコードワードは、削除されることができる。例えば、１セットのコードワードは、生成されることができ、ここにおいて、該セットにおけるコードワードペアのうちのいくつかは、制御チャネル情報の送信について望ましくない最悪のケースの相互相関値（例、  
【数５０】
0005730813.tif 000051
【０１２７】
）を作ることができる。一態様にしたがって、最悪のケースの相互相関値  
【数５１】
0005730813.tif 000052
【０１２８】
）を作るコードワードペアのような、悪い相関値を備えたあるいはそうでなければ望ましくない相関値を備えた１サブセットのコードワードが削除されることができる。
【０１２９】
また別の態様においては、別のサブセットのコードワード(another subset of codewords)は、十分なコードワードが望ましいスペクトル効率(desired spectral efficiency)（例、与えられたトーンの数について望まれた有効なコードワードのあらかじめ決定されたスレッシュホールドの数）を満たすためにセットにおいて残るように、削除され、廃棄されることができる。セットにおける残りのコードワード(remaining codewords in the set)は、制御チャネル情報（例、ＣＱＩＣＨ）の送信を容易にするために選択され、使用されることができる。廃棄されるコードワード、あるいはそれの一部分は、例えば干渉レベルを推定し、削除を検出し、及び／または他の制御情報（例、ＰＭＩＣＨ、ＳＲＣＨ、等）を送信することのような、他の目的のために利用されることができる。例えば、設計されたコードワードをマルチプルサブセットのコードワードに区分することによって、複素直交コードは、帯域幅効率をさらに改善するために、ＣＱＩＣＨ、ＰＭＩＣＨ、及び／またはＳＲＣＨのような、１つまたは複数の制御チャネルについて使用されることができる。
【０１３０】
図４を参照すると、ワイヤレス通信システムに関連づけられた情報（例、制御チャネル情報）の送信を容易にする、コードワードを生成することを容易にすることができる方法４００が図示されている。４０２において、送信される予定の制御チャネル情報のビットの数が、決定されることができる。一態様において、送信通信デバイス（例、モバイルデバイス１１６）と受信通信デバイス（例、基地局１０２）との間で送信される予定である制御チャネル情報（例、ＣＱＩＣＨ）のビットの数が決定されることができる。４０４において、送信を容易にするために使用されるべき直交変調のタイプが決定されることができる。例えば、決定は、例えば利用可能な帯域幅及び／または送信される予定である情報のビットの数に少なくとも部分的に基づいて、通信デバイス間で制御チャネル情報および／または他の情報の送信を容易にするために、ＢＰＳＫあるいは高次変調（例、ＱＰＳＫ）を使用するかどうかに関して、なされることができる。
【０１３１】
４０６において、使用されるべきコードワードの数は、決定されることができる。一態様において、ある制御チャネル情報（例、ＣＱＩＣＨ）の送信、及び／または、他の目的（例、他の制御チャネル情報の送信、干渉レベル推定、消失デコード等）について容易にするように望まれた、コードワードの数が決定されることができる。そのような決定は、例えば、通信デバイス間で送信される予定である情報のビットの数に少なくとも部分的に基づくことができる。別の態様においては、第１サブセットのコードワードは、ある制御チャネル情報（例、ＣＱＩＣＨ）の送信を容易にするために使用されることができ、なお、各コードワードのペアは、望ましい（例、よい）相互相関プロパティを作る。望ましくない相互相関プロパティ（例、最悪のケースの相互相関値  
【数５２】
0005730813.tif 000053
【０１３２】
）を作るコードワードペアを含むことができる別のサブセットのコードワードは、削除されることができる。一実施形態にしたがって、設計されたコードワードセットは、コードワード削除条件  
【数５３】
0005730813.tif 000054
【０１３３】
を使用することによって、いずれの２つの削除ベースの複素直交シーケンス間の最悪なケースの相互相関が１／２（  
【数５４】
0005730813.tif 000055
【０１３４】
の反対）であるように、構成されることができる削除ベースの複素直交コード（および／または拡張された削除ベースの直交コード）であることができるので、ここに説明されているように、式４ａ及び４ｂに関連づけられた条件１及び２は、満たされることができない。結果、最悪のケースの相互相関値  
【数５５】
0005730813.tif 000056
【０１３５】
を作るコードワードペアは、ないであろう。
【０１３６】
別の態様においては、第１セットのコードワードにおけるコードワードの数が望ましいスペクトル効率（例、与えられた数のトーンについての有効コードワードの望まれる数）を満たす望ましい数のコードワード（例、あらかじめ決定されたスレッシュホールド数）であるように、削除され、廃棄されることができる１つまたは複数の他のサブセットのコードワードもまた存在することができる。該サブセット（単数または複数）の廃棄されるコードワードは、望まれるように、消失デコード、干渉レベル推定、及び／またはマルチモード制御チャネルオペレーション等、のような他の目的のために使用されることができる。
【０１３７】
４０８において、トーンの数は、決定されることができる。一態様において、トーンの数（例、ＱＰＳＫトーン）は、通信デバイス間で送信される予定である情報のビットの数、および／または、コードワード設計について使用されるコードのタイプ（例、アダマールコード）、に少なくとも部分的に基づいて決定されることができる。
【０１３８】
図５に戻ると、ワイヤレス通信システムに関連づけられた情報（例、制御チャネル情報）を送信することを容易にするためにスクランブルすることを利用できる方法５００が図示されている。５０２において、１セットの複素直交コードワードが生成されることができる。一態様において、１セットの複素直交コードワードは、あらかじめ定義されたコードワード基準（例、ここにおいてより十分に説明されているように）に少なくとも部分的に基づいて、生成されることができる。複素直交コードワードは、送信通信デバイス（例、モバイルデバイス１１６）から受信通信デバイス（例、基地局１０２）へと、例えばある制御チャネル情報（例、ＣＱＩＣＨ）及び／または他の情報（例、他の制御チャネル情報、干渉レベル推定、消失デコードに関連づけられた情報）のような情報の送信を容易にするために、設計され、生成され、そして使用されることができる。別の態様において、複素直交コードワードのそれぞれは、Ｉ位相及びＱ位相を含むことができる。５０４において、該セットの複素直交コードワードの各コードワードのＩ位相及びＱ位相は、独立してスクランブルされることができ、ここにおいて、例えば、第１のスクランブリングコードは、Ｉ位相のために使用されることができ、また、別のスクランブリングコードは、Ｑ位相のために使用されることができる。一態様において、非コヒーレント受信機において複素直交変調のピーク相互相関を減らすことを容易にするために、独立リアルスクランブリングコードは、上記でより十分に説明されるような、該コードワードセットにおける各コードワードのＩ位相及びＱ位相について適用されることができる。別の態様にしたがって、コードワードは、マルチパスチャネルにおいてよりよい自己相関を提供するために、送信通信デバイス（例、モバイルデバイス１１６）のあらかじめ決定された長さ（例、トーンの数に少なくとも部分的に基づいて決定される長さ）の特定複素ＰＮシーケンスを使用することによってさらにスクランブルされることができる。
【０１３９】
図６を参照すると、ワイヤレス通信システムに関連づけられた、情報（例、制御チャネル情報）の送信を容易にする消失デコードを容易にすることができる方法６００が図示されている。６０２において、コードワードが決定されることができる。一態様において、コードワードは、送信通信デバイス（例、モバイルデバイス１１６）と受信通信デバイス（例、基地局１０２）との間で情報の送信を容易にするために、非コヒーレントシグナリングに関連づけられた消失デコードを容易にするために決定されることができる。別の態様において、コードワードは、システム１００に関して説明されているように、たとえば式（２）−（３）に関連して、ここにおいてより十分に説明されるようなＭＬデコードによって決定されることができる。６０４において、決定されたコードワードに完全に直交である（例、ゼロ相互相関）コードワードが選択されることができる。６０６において、選択されたコードワードに対応するデコーダ出力エネルギー値の平均が計算されることができる。６０８において、決定されたコードワードのエネルギー値と選択されたコードワードに対応する計算された平均出力エネルギー値との間の差異（あるいは、代替的に、比）が決定されることができる。６１０において、メトリック（例、決定されたコードワードのエネルギー値と選択されたコードワードに対応する計算された平均出力エネルギー値との間の決定された差異あるいは比）は、デコード結果の有効性に関連づけられたあらかじめ決定されたスレッシュホールドのレベルと比較されることができる。６１２において、あらかじめ決定されたスレッシュホールドのレベルに少なくとも部分的に基づいて、決定されたコードワードが有効なデコード結果であるかどうかに関して決定がなされることができる。例えば、もしメトリックがあらかじめ決定されたスレッシュホールドのレベルと等しい、あるいは大きい場合には、決定されたコードワードは、有効なデコード結果となるように決定されることができ、もしメトリックがあらかじめ決定されたスレッシュホールドのレベルよりも小さい場合には、消失(erasure)は、決定されたコードワードに関連して、宣言されることができる。
【０１４０】
図７に戻ると、ワイヤレス通信システムに関連づけられた情報（例、制御チャネル情報）の送信を容易にするために消失デコードを容易にすることができる別の方法７００が図示されている。一態様において、消失デコードは、送信通信デバイス（例、モバイルデバイス１１６）と受信通信デバイス（例、基地局１０２）との間の情報の送信を容易にするために非コヒーレントシグナリングに適用されることができる。７０２において、決定されたコードワードは、既知シーケンスであるかのように、使用されることができる。７０４において、伝播チャネル係数は、決定されたコードワード（例、デコードが正確であるという仮定で）に少なくとも部分的に基づいて、推定されることができる。７０６において、決定されたコードワードに対応する信号コンポーネントは、受信信号から取り除かれることができる。一態様において、信号は、１つの通信デバイス（例、モバイルデバイス１１６）から別の通信デバイス（例、基地局１０２）へと送信されることができる。受信された信号の信号コンポーネントは、受信された信号から、取り除かれる（例、差し引かれる）ことができる。７０８において、残りの信号（例、信号コンポーネントが受信された信号から取り除かれた後で残る信号）の平均パワーは、計算されることができる。７１０において、背景雑音レベルは、残りの信号の平均パワー値に少なくとも部分的に基づいて、推定されることができる。デコードが不正確である場合には、背景雑音レベルは、高くなるであろうということが注目される(It is noted that the background noise level will be high is the decoding is incorrect)。７１２において、ＳＮＲは、伝播チャネル推定及び背景雑音レベル推定に少なくとも部分的に基づいて、計算されることができる。例えば、伝播チャネル推定及び背景雑音レベル推定は、ＳＮＲを計算するために使用されることができる。７１４において、ＳＮＲ値は、デコード結果の有効性に関連づけられたあらかじめ決定されたスレッシュホールドのレベルと比較されることができる。７１６において、あらかじめ決定されたスレッシュホールドのレベルに少なくとも部分的に基づいて、決定されたコードワードが有効なデコード結果であるかどうかに関して決定がなされることができる。例えば、ＳＮＲ値があらかじめ決定されたスレッシュホールドのレベルと等しいあるいは大きいということが決定される場合には、決定されたコードワードは、有効なデコード結果となるように決定されることができ、また、ＳＮＲ値があらかじめ決定されたスレッシュホールドのレベルよりも小さい場合には、消失(erasure)が宣言されることができ、したがって、決定されたコードワードは、有効なデコード結果とならないように決定されることができる。
【０１４１】
ここにおいて説明される１つまたは複数の態様にしたがって、情報（例、制御チャネル、消失デコード、干渉レベル推定、等）の送信を容易にするために、コードワードを設計し、選択し、削除し、及び／または使用することに関して、推論(inferences)がなされることができるということが理解されるであろう。ここにおいて使用されているように、用語「推論する(infer)」あるいは「推論(inference)」は、イベントおよび／またはデータを介してキャプチャされる(captured)ように１セットの観察(a set of observations)からの、システム、環境、および／またはユーザ、の状態の理由付けあるいは推論のプロセスを一般に指す。推論は、例えば、特定のコンテキスト(context)あるいは動作(action)を識別するために利用されることができ、あるいは、状態に関する確率分布を生成することができる。推論は、蓋然性(probabilistic)であることができ、すなわち、データおよびイベント(events)の考慮に基づいた、対象の状態に関する確率分布の計算である。推論はまた、１セットのイベントおよび／またはデータからより高いレベルのイベントを構成するために利用される技術を指すことができる。そのような推論は、イベントが時間近似性(close temporal proximity)において相関されていようがいまいが、また、イベントとデータが、１つまたはいくつかのイベント及びデータのソースから生じようが、１セットの観察されたイベント及び／または保存されたイベントのデータからの新しいイベントあるいは動作の構築を結果としてもたらす。
【０１４２】
一例にしたがって、上記で提示された１つまたは複数の方法は、通信デバイス（例、モバイルデバイス１１６、基地局１０２）間で情報（例、制御チャネル情報、消失デコードに関連づけられた情報、干渉レベル推定に関連づけられた情報、等）を送信することを容易にするために、直交変調（例、バイナリ直交変調、複素直交変調、削除ベースの複素直交変調、拡張された削除ベースの複素直交変調等）に関連づけられたコードワードを設計すること及び／または生成することに関係している推論を行なうことを含むことができる。さらなる図によって、通信デバイス間で与えられた量の情報を送信するのに最大帯域幅効率的である直交変調のタイプを決定すること、及び／または、１セットのコードワードから特定のコードワードを削除するかどうかおよび／また、１セットのコードワードからどのコードワード（単数または複数）を削除するかどうか、を決定すること、に関連して、いずれの推論（単数または複数）は行なわれることができる。前述の例は、本質的には説明のためであって、行われることができる推論の数、あるいは、そのような推論がここにおいて説明されている様々な実施形態及び／または方法に関連して行なわれるような方法、を制限するようには意図されていないということは理解されるであろう。
【０１４３】
図８は、ワイヤレス通信システムに関連づけられた情報（例、制御チャネル情報）の送信あるいは受信を容易にすることができるモバイルデバイス８００の図である。モバイルデバイス８００は、例えば受信アンテナ（示されていない）から信号を受信する受信機８０２を備えることができ、そして、受信信号上で典型的な動作（例、フィルタにかけ、増幅し、ダウンコンバート等）を実行し、そして、サンプルを得るために条件づけられた信号(conditioned signal)をデジタル化する。受信機８０２は、例えば、ＭＭＳＥ受信機であることができ、そして、受信シンボルを復調しチャネル推定のためにプロセッサ８０６に対しそれらを供給することができるデモジュレータ８０４を備えることができる。一態様において、デモジュレータ８０４は、上記でより十分に説明されるように、ＢＰＳＫあるいはＱＰＳＫ変調された受信シンボルを復調するように構成されることができる。プロセッサ８０６は、受信機８０２によって受信された情報を分析することおよび／または送信機８０８による送信についての情報を生成することの専用のプロセッサ、モバイルデバイス８００の１つまたは複数のコンポーネントを制御するプロセッサ、及び／または、受信機８０２によって受信される情報を分析することも、送信機８０８による送信についての情報を生成することも、モバイルデバイス８００の１つまたは複数のコンポーネントを制御することもするプロセッサ、であることができる。モバイルデバイス８００はまた、例えば、基地局１０２、別のモバイルデバイス等に信号（例、データ）を送信することを容易にするために送信機８０８に関連して、機能することができるモジュレータ８１０を備えることができる。一態様において、モジュレータ８１０は、基地局１０２、別のモバイルデバイス、等のような別の通信デバイスへの制御チャネル情報及び／または別の情報を送信することを容易にするために、例えば、ＢＰＳＫあるいはＱＰＳＫ変調を利用して、信号を変調するように構成されることができる。モバイルデバイス８００は、システム１００に関して、ここにおいてより十分に説明されているような、通信デバイスとして同じあるいは同様の機能性を含むことができる。
【０１４４】
モバイルデバイス８００は、送信される予定のデータ、受信データ、制御チャネル情報（例、複素直交変調、削除ベースの複素直交変調、及び／または拡張された削除ベースの複素直交変調等に関連づけられた情報）の送信あるいは受信に関連づけられた情報、消失デコード及び／または干渉レベル推定に関連性のある情報、及びモバイルデバイス８００及び基地局１０２のような通信デバイス間で制御チャネル情報のような情報の送信及び／又は受信を容易にすることができるいずれの他の適切な情報、を保存することができ且つプロセッサ８０６に操作的に結合されることができるデータストア８１２をさらに備えることができる。データストア８１２は、直交変調（例、バイナリ直交変調、複素直交変調、削除ベースの複素直交変調、及び／または拡張された削除ベースの複素直交変調、等）および／またはコードワードに関連づけられたプロトコル及び／またはアルゴリズムをさらに保存することができる。
【０１４５】
ここにおいて説明されるデータストア８１２は、揮発性メモリ及び／または不揮発性メモリを備えることができるということが理解されるであろう。図によって、限定されるのではなく、不揮発性メモリは、読み取り専用メモリ（ＲＯＭ）、プログラマブルＲＯＭ（ＰＲＯＭ）、電子的プログラマブルＲＯＭ（ＥＰＲＯＭ）、電子的消去可能なＰＲＯＭ（ＥＥＰＲＯＭ）、フラッシュメモリ、及び／または不揮発性ランダムアクセスメモリ（ＮＶＲＡＭ）を含むことができる。揮発性メモリは、ランダムアクセスメモリ（ＲＡＭ）を含むことができ、そしてそれは、外部キャッシュメモリとして作用することができる。例として、制限されるものではなく、ＲＡＭは、シンクロナスＲＡＭ（ＳＲＡＭ）、動的ＲＡＭ（ＤＲＡＭ）、シンクロナスＤＲＡＭ（ＳＤＲＡＭ）、ダブルデータレートＳＤＲＡＭ（ＤＤＲ ＳＤＲＡＭ）、エンハンスドＳＤＲＡＭ（ＥＳＤＲＡＭ）、Ｓｙｎｃｈｌｉｎｋ ＤＲＡＭ（ＳＬＤＲＡＭ）、そしてダイレクトランバスＲＡＭ（ＤＲＲＡＭ）のような多くの形態において利用可能である。データストア８１２は、限定されることなく、これら及びいずれの他の適切なタイプのメモリを備えるように意図されている。
【０１４６】
図９は、ワイヤレス通信システムに関連づけられた情報（例、制御チャネル情報）の送信あるいは受信を容易にすることができるシステム９００の図である。システム９００は、複数の受信アンテナ９０８を通じて１つまたは複数のモバイルデバイス９０６（例、モバイルデバイス１１６及び／またはモバイルデバイス８００と同じあるいは同様の機能を有する）から信号（単数または複数）を受信することができる受信機９０４と、送信アンテナ９１２を通じて１つまたは複数のモバイルデバイス９０６に信号（例、データ）を送信することができる送信機９１０と、を備えた基地局９０２（例、アクセスポイント・・・）を備えることができる。受信機９０４は、受信アンテナ９０８から情報を受信することができ、そして、受信された情報を復調することができるデモジュレータ９１４に操作的に関連づけられることができる。一態様においては、デモジュレータ９１４は、例えば、より十分に上記で説明されているように、ＢＰＳＫあるいはＱＰＳＫ変調された受信シンボルを復調するように構成されることができる。復調されたシンボルは、受信機９０４によって受信された情報を分析することおよび／または送信機９１０による送信についての情報を生成することの専用のプロセッサ、基地局９０２の１つまたは複数のコンポーネントを制御するプロセッサ、および／または、受信機９０４によって受信される情報を分析することも、送信機９１０による送信についての情報を生成することも、基地局９０２の１つまたは複数のコンポーネントを制御することもするプロセッサ、であることができるプロセッサ９１６によって、分析されることができる。
【０１４７】
基地局９０２はまた、例えばモバイルデバイス９０６、別のデバイス等に対して信号（例、データ）を送信することを容易にするために送信機９１０に関連して機能することができるモジュレータ９１６を備えることができる。一態様においては、モジュレータ９１６は、モバイルデバイス（単数または複数）９０６、別のモバイルデバイス等のような別の通信デバイスに対して制御チャネル情報および／または他の情報を送信することを容易にするために、例えばＢＰＳＫあるいはＱＰＳＫ変調を使用して、信号を変調するように構成されることができる。基地局９０２およびモバイルデバイス（単数または複数）９０６は、例えばシステム１００に関連して、ここにおいてより十分に説明されているような、通信デバイスと同じあるいは同様な機能をそれぞれ含むことができる。
【０１４８】
プロセッサ９１６は、データを送信され受信される予定であるデータに関連づけられた情報(information related to data to be transmitted, received data)、制御チャネル情報（例、複素直交変調、削除ベースの複素直交変調、および／または拡張された削除ベースの複素直交変調等）の送信あるいは受信に関連づけられた情報、消失デコード及び／または干渉レベル推定に関連する情報、そして、通信デバイス間の情報（例、制御チャネル情報）の送信を決定することを容易にすることができるいずれの他の適切な情報、を保存することができるメモリ９１８に結合されることができる。メモリ９１８は、直交変調（例、バイナリ直交変調、複素直交変調、削除ベースの複素直交変調、および／または拡張された削除ベースの複素直交変調、及び／または、拡張された削除ベースの複素直交変調、等）及び／またはコードワードに関連づけられた、プロトコル及び／またはアルゴリズムをさらに保存することができる。
【０１４９】
ここにおいて説明されているメモリ９１８が揮発性メモリおよび／または不揮発性メモリを備えることができるということは理解されるであろう。例によって、そして制限されるものではなく、不揮発性メモリは、読み取り専用メモリ（ＲＯＭ）、プログラマブルＲＯＭ（ＰＲＯＭ）、電子的プログラマブルＲＯＭ（ＥＰＲＯＭ）、電子的消去可能なＰＲＯＭ（ＥＥＰＲＯＭ）、フラッシュメモリ、および／または不揮発性ランダムアクセスメモリ（ＮＶＲＡＭ）、を含むことができる。揮発性メモリは、ランダムアクセスメモリ（ＲＡＭ）を含むことができ、外部キャッシュメモリとして作用することができる。説明のためであって、限定されるものではなく、ＲＡＭは、シンクロナスＲＡＭ（ＳＲＡＭ）、動的ＲＡＭ（ＤＲＡＭ）、シンクロナスＤＲＡＭ（ＳＤＲＡＭ）、ダブルデータレートＳＤＲＡＭ（ＤＤＲ ＳＤＲＡＭ）、エンハンスドＳＤＲＡＭ（ＥＳＤＲＡＭ）、Ｓｙｎｃｈｌｉｎｋ ＤＲＡＭ（ＳＬＤＲＡＭ）、そして、動的ランバスＲＡＭ（ＤＲＲＡＭ）のような多くの形態において利用可能である。メモリ９１８は、限定されてはいないが、これら及びいずれの他の適切なタイプのメモリを備えるように意図されている。
【０１５０】
図１０は、ワイヤレス通信システム１０００の一例を示している。ワイヤレス通信システム１０００は、簡潔さのために、１つの基地局１０１０と１つのモバイルデバイス１０５０とを図示している。しかしながら、システム１０００は、１以上の基地局、および／または、１以上のモバイルデバイスを含むことができるということは、理解されるべきであり、なお、追加の基地局及び／またはモバイルデバイスは、下記で説明されている基地局１０１０及びモバイルデバイス１０５０の例とは、実質的には同様あるいは異なっている可能性がある。さらに、基地局１０１０及び／またはモバイルデバイス１０５０は、そこの間のワイヤレス通信を容易にするために、ここにおいて説明されている、システム（図１−２、８−９、及び１１−１２）及び／または方法（図３−７）を利用することができるということが理解されるべきである。基地局１０１０及びモバイルデバイス１０５０はそれぞれ、例えばシステム１００、システム２００、システム８００、および／またはシステム９００に関連して、ここにおいてより十分に説明されているようにそれぞれのコンポーネントと、同じあるいは同様であることができ、および／または、それぞれ同じあるいは同様の機能性を備えることができるということは理解されるべきである。
【０１５１】
基地局１０１０では、多数のデータストリーム用のトラフィックデータは、データソース１０１２から送信（ＴＸ）データプロセッサ１０１４へと提供される。一例にしたがって、各データストリームは、それぞれのアンテナにわたって送信されることができる。ＴＸデータプロセッサ１０１４は、データストリームがコード化されたデータを提供するように選択される特定のコーディングスキーム(particular coding scheme)に基づいて、トラフィックデータストリームをフォーマット化し、コード化し、そして、インタリーブする。
【０１５２】
各データストリームについてコード化されたデータは、直交周波数分割多重化（ＯＦＤＭ）技術を使用して、パイロットデータで多重化されることができる。追加的にあるいは代替的に、パイロットシンボルは、周波数分割多重化され（ＦＤＭ）、時分割多重化され（ＴＤＭ）、あるいは符号分割多重化される（ＣＤＭ）ことができる。パイロットデータは、典型的には、知られた方法において処理され、そして、チャネル応答を推定するためにモバイルデバイス１０５０において使用されることが出来る、既知のデータパターンである。各データストリームについて多重化されたパイロット及びコード化されたデータは、変調シンボルを提供するためにそのデータストリームについて選択された特定の変調スキーム（例えば、バイナリ位相シフトキーイング（ＢＰＳＫ）、直角位相シフトキーイング(quadrature phase-shift keying)（ＱＰＳＫ）、Ｍ位相シフトキーイング(M-phase-shift keying)（Ｍ−ＰＳＫ）、Ｍ直角増幅変調(M-quadrature amplitude modulation)(Ｍ−ＱＡＭ)等）に基づいて変調される（シンボルマッピングされる）ことができる。各データストリームのデータレート、コード化、及び変調は、プロセッサ１０３０によって実行されあるいは提供されるインストラクションによって決定されることができる。
【０１５３】
データストリームについての変調シンボルは、ＴＸ ＭＩＭＯプロセッサ１０２０に提供されることができ、そしてそれは、変調シンボル（例、ＯＦＤＭ）をさらに処理することができる。ＴＸ ＭＩＭＯプロセッサ１０２０は、そのあとで、ＮＴ送信機（ＴＭＴＲ）１０２２ａ〜１０２２ｔにＮＴ変調シンボルストリームを提供する。様々な実施形態においては、ＴＸ ＭＩＭＯプロセッサ１０２０は、データストリームのシンボルに対して、及び、シンボルが送信されているアンテナに対して、ビームフォーミングの重み(beamforming weights)を適用する。
【０１５４】
各送信機１０２２は、１つまたは複数のアナログ信号を提供するために、それぞれのシンボルストリームを受信し、処理し、そして、ＭＩＭＯチャネルにわたって送信のために適切な変調信号を提供するためにアナログ信号をさらに条件付ける（例、増幅し、フィルタにかけ、そしてアップコンバートする）。さらに、送信機１０２２ａ〜１０２２ｔからのＮＴ変調信号は、それぞれ、ＮＴアンテナ１０２４ａ〜１０２４ｔから、それぞれ、送信される。
【０１５５】
モバイルデバイス１０５０において、送信された変調信号は、ＮＲアンテナ１０５２ａ〜１０５２ｒによって受信され、そして、各アンテナ１０５２から受信された信号は、それぞれの受信機（ＲＣＶＲ）１０５４ａ〜１０５４ｒに提供される。各受信機１０５４は、それぞれの信号を条件付け（例、フィルタにかけ、増幅し、そしてダウンコンバートする）、サンプルを提供するために条件付けられた信号をデジタル化し、そして、対応する「受信された」シンボルストリームを提供するためにサンプルをさらに処理する。
【０１５６】
ＲＸデータプロセッサ１０６０は、ＮＴ「検出された」シンボルストリームを提供するために、特定の受信機の処理技術に基づいて、ＮＲ受信機１０５４からＮＲ受信されたシンボルストリームを受信し、処理することができる。ＲＸデータプロセッサ１０６０は、データストリームについてのトラフィックデータを回復するためにそれぞれの検出されたシンボルストリームを復調し、デインタリーブし、そしてデコードすることができる。ＲＸデータプロセッサ１０６０による処理は、基地局１０１０におけるＴＸ ＭＩＭＯプロセッサ１０２０及びＴＸデータプロセッサ１０１４によって実行されたものの補足である。
【０１５７】
プロセッサ１０７０は、どのプレコーディングマトリクス(pre-coding matrix)を使用するかを（下に議論されているように）周期的に(periodically)決定することができる。さらに、プロセッサ１０７０は、マトリクスインデックス部分(matrix index portion)およびランク値部分(rank value portion)を備えている逆方向リンクメッセージを公式化する(formulate)ことができる。
【０１５８】
逆方向リンクメッセージは、通信リンクおよび／または受信されたデータストリームに関する様々なタイプの情報を備えることができる。逆方向リンクメッセージは、ＴＸデータプロセッサ１０３８によって処理され、そしてそれはまた、データソース１０３６から多数のデータストリームについてトラフィックデータを受信し、モジュレータ１０８０によって変調され、送信機１０５４ａ〜１０５４ｒによって条件づけされ、そして、基地局１０１０に戻って送信されることができる。
【０１５９】
基地局１０１０において、モバイルデバイス１０５０からの変調信号は、モバイルデバイス１０５０によって送信される逆方向リンクメッセージを抽出するために、アンテナ１０２４によって受信され、受信機１０２２によって条件づけられ、デモジュレータ１０４０によって復調され、そして、ＲＸデータプロセッサ１０４２によって処理される。さらに、プロセッサ１０３０は、抽出されたメッセージを処理することができ、そして、ビームフォーミングの重みを決定するためにどのプレコーディングマトリクスを使用するかを決定することができる。
【０１６０】
プロセッサ１０３０及び１０７０は、それぞれ、基地局１０１０及びモバイルデバイス１０５０におけるオペレーションを指示する（例、制御し、調節し(coordinate)、管理する等）ことができる。それぞれのプロセッサ１０３０および１０７０は、プログラムコード及びデータを保存するメモリ１０３２及び１０７２に関連づけられることができる。プロセッサ１０３０及び１０７０はまた、それぞれ、アップリンクとダウンリンクについての周波数及びインパルスの応答推定値(frequency and impulse response estimates)を導出するために、計算を実行することができる。
【０１６１】
ここにおいて説明されている実施形態はハードウェア、ソフトウェア、ファームウェア、ミドルウェア、マイクロコード、あるいは、それらのいずれの組み合わせ、においてインプリメントされることができる、ということは理解されるべきである。ハードウェアのインプリメンテーションについては、処理ユニットは、１つまたは複数の特定用途向け集積回路（ＡＳＩＣｓ）、デジタルシグナルプロセッサ（ＤＳＰｓ）、デジタルシグナルプロセッシングデバイス（ＤＳＰＤｓ）、プログラマブル論理デバイス（ＰＬＤｓ）、フィールドプログラマブルゲートアレイ（ＦＰＧＡｓ）、プロセッサ、コントローラ、マイクロコントローラ、マイクロプロセッサ、ここにおいて説明される機能を実行するように設計された他の電子装置、あるいは、それらの組み合わせ、の内でインプリメントされることができる。
【０１６２】
実施形態がソフトウェア、ファームウェア、ミドルウェア、あるいはマイクロコード、プログラムコード、あるいはコードセグメントにおいてインプリメントされるとき、それらは、例えばストレージコンポーネントとして、マシン可読媒体において保存されることができる。コードセグメントは、プロシージャ(procedure)、機能、サブプログラム、プログラム、ルーチン、サブルーチン、モジュール、ソフトウェアパッケージ、クラス、あるいはインストラクション、データ構造、あるいはプログラムステートメント(program statements)のいずれの組み合わせ、を表わすことができる。コードセグメントは、情報、データ、アーギュメント、パラメータ、あるいはメモリコンテンツを受け渡すこと、および／または受信することによって、別のコードセグメントあるいはハードウェア回路に結合されることができる。情報、アーギュメント、パラメータ、データ等は、メモリ共有、メッセージ受け渡し、トークンパッシング(token passing)、ネットワーク送信等を含んでいるいずれの適切な手段を使用して、受け渡され、フォワードされ(forwarded)、あるいは送信されることができる。
【０１６３】
ソフトウェアのインプリメンテーションについては、ここにおいて説明された技術は、ここにおいて説明される関数を実行するモジュール（例、プロシージャ、機能、等）でインプリメントされることができる。ソフトウェアコードはメモリユニットに保存され、プロセッサによって実行されることができる。メモリユニットは、プロセッサ内で、あるいはプロセッサに外付けで、インプリメントされることができ、いずれのケースにおいても、当技術分野において知られているように様々な手段を介してプロセッサに通信的に結合されることができる。
【０１６４】
図１１を参照すると、ワイヤレス通信環境に関連づけられた通信デバイス間の情報（例、制御チャネル情報）の送信を容易にするシステム１１００が図示されている。例えば、システム１１００は、モバイルデバイス（例、１１６）のような通信デバイス内で、少なくとも部分的に存在することができる。システム１１００は、機能ブロックを含んでいるものとして、表されているということが理解されるべきであり、そしてそれは、プロセッサ、ソフトウェア、あるいはそれらの組み合わせ（例、ファームウェア）によってインプリメントされる機能を表わす機能ブロック図であることができる。システム１１００は、一緒に作用することができる電子コンポーネントのロジカルグルーピング１１０２を含む。
【０１６５】
例えば、ロジカルグルーピング１１０２は、１セットのコードワードを生成するための電子コンポーネント１１０４を含むことができる。一態様においては、該セットのコードワードは、例えばモバイルデバイス１１６と基地局１０２のような通信デバイス間で、例えば制御チャネル情報のような情報の送信を容易にするために生成されることができる。別の態様においては、コードワード構造は、非コヒーレントシグナリングについて直交変調（バイナリ直交変調、拡張された削除ベースの複素直交変調）に関連することができる。さらに、ロジカルグルーピング１１０２は、あらかじめ定義されたコードワード基準に少なくとも部分的に基づいて、該セットのコードワードからサブセット（単数または複数）のコードワードを削除するための電子コンポーネント１１０６を備えることができる。例えば、１サブセットのコードワードは、例えば  
【数５６】
0005730813.tif 000057
【０１６６】
のような最悪のケースの相互相関値を生成してコードワードペアを含むことができ、そして、そのようなコードワードペアは、削除される可能性があり、そしてそれは、残りのそれぞれのペアのコードワードの間の最悪のケースの相互相関を改良することができる。一実施形態にしたがって、該コードワードセットは、コードワード削除条件  
【数５７】
0005730813.tif 000058
【０１６７】
を利用することによって、いずれの２つの削除ベースの複素直交シーケンスの最悪のケースの相互相関の１／２（  
【数５８】
0005730813.tif 000059
【０１６８】
の反対）であるように構造化されることができる、削除ベースの複素直交コード（および／または拡張された削除ベースの直交コード）として設計されることができるので、ここにおいて説明されるように、式４ａ及び４ｂに関連づけられた条件１及び２は満たされることができない。結果として、最悪のケースの相互相関値  
【数５９】
0005730813.tif 000060
【０１６９】
を作る、コードワードペアはないであろう。
【０１７０】
別の例として、別のサブセットのコードワードは、ある制御情報（例、ＣＱＩＣＨ）の送信を容易にするために使用される予定である該セットのコードワードで残るコードワードの数が望まれるスペクトル効率（例、与えられた数のトーンについての望ましい数の有効コードワード）を満たすように望まれるコードワードの数（例、あらかじめ決定されたスレッシュホールドの数）であるように、削除され廃棄されることができるコードワードであることができる。廃棄されるワードあるいはそれらの一部分は、望まれるように、干渉レベル推定、消去検出、等のような他の目的のために利用されることができる。結果として、非コヒーレントシグナリングについて高次変調（例、ＱＰＳＫ）を利用して、制御チャネル情報のような情報の送信は、帯域幅効率方法で実現されることができる。さらに、ロジカルグルーピング１１０２は、該セットのコードワードの少なくとも一部分に関連づけられた信号を送信するための電子コンポーネント１１０８を含むことができる。一態様において、信号は、１セットの複素直交コードワード（例、複素直交コードワード、削除ベースの複素直交コードワード、拡張された削除ベースの複素直交コードワード）を使用している非コヒーレントシグナリングを利用して、送信されることができ、ここにおいて、信号は、１つの通信デバイス（例、モバイルデバイス１１６）から別の通信デバイス（例、基地局１０２）へと送信されることができる。別の態様において、該セットのコードワードの一部分は、望ましい（例、よい）相互相関プロパティ（例、１／２あるいはそれよりも小さい相互相関値に関連づけられたコードワード）を含む該セットのコードワードにおいて選択コードワードを含むことができ、ここにおいて、選択コードワードは、制御チャネル情報（例、ＣＱＩＣＨ）を送信することを容易にするために使用されることができる。さらに別の態様において、該セットのコードワードの一部分は、廃棄されるコードワード(discarded codewords)、廃棄されるコードワード(the discarded codewords)、あるいはそれらの一部分を備えることができ、ここにおいて、そのような廃棄されるコードワードは、消失デコード、干渉レベル推定、他の制御情報（例、ＰＭＩＣＨ、ＳＲＣＨ、等）の送信を容易にするためのマルチモード制御チャネルオペレーション、及び／または、他の望ましい目的のために、容易にするために利用されることができる。さらに、システム１１００は、電子コンポーネント１１０４、１１０６および１１０８に関連づけられた機能を実行するためのインストラクションを保持することができるメモリ１１００を含むことができる。メモリ１１１０に外付けされているものとして示されたが、１つまたは複数の電子コンポーネント１１０４、１１０６、及び１１０８は、メモリ１１１０内で存在することができるということは理解されるべきである
図１２に戻ると、ワイヤレス通信環境に関連づけられた通信デバイス間で情報（例、制御チャネル情報）の送信を容易にすることができるシステム１２００が図示されている。システム１２００は、例えば、基地局１０２のような、通信デバイス内で少なくとも部分的に、存在することができる。図示されているように、システム１２００は、プロセッサ、ソフトウェア、あるいはそれらの組み合わせ（例、ファームウェア）によってインプリメントされる機能を表すことができる機能ブロックを含んでいる。システム１２００は、関連して作用することができる電子コンポーネントのロジカルグルーピング１２０２を含んでいる。ロジカルグルーピング１２０２は、該セットのコードワードの一部分に関連づけられた信号を受信するための電子コンポーネント１２０４を含むことができる。一態様においては、受信された信号は、１つの通信デバイス（例、モバイルデバイス１１６）から別の通信デバイス（例、基地局１０２）へと送信されている制御チャネル情報に関連づけられた非コヒーレントシグナリングであることができる。別の態様においては、コードワード構造は、非コヒーレントシグナリングについての直交変調（例、バイナリ直交変調、複素直交変調、削除ベースの複素直交変調、拡張された削除ベースの複素直交変調）に関することができる。また別の態様においては、該セットのコードワードの一部分は、望ましい相互相関プロパティを有し及びある制御情報（例、ＣＱＩＣＨ）及び／または他の情報の送信及び受信を容易にするように利用されることができるコードワードであることができる、選択コードワードを含むことができる。一態様においては、該セットのコードワードの一部分は、最悪のケースの相互相関を作るコードワードのペアが該セットのコードワードの一部分から削除されることができるように、設計されることができるので、そのような最悪のケースのコードワードは、受信された該セットのコードワードの部分の一部分ではない。また別の態様においては、該セットのコードワードの一部分はまた、廃棄されるコードワードを含むことができ、ここにおいては、そのような廃棄されるコードワードは、他の目的のために、例えば消失デコード、干渉レベル推定、マルチモード制御チャネルオペレーション、のような他の目的、及び／または他の望ましい目的、を容易にするために利用されることができる。
【０１７１】
さらに、ロジカルグルーピング１２０２は、受信信号をデコードするための電子コンポーネント１２０６を備えることができる。さらに、ロジカルグルーピング１２０２は、非コヒーレントシグナリングに対して消失デコードを実行するための電子コンポーネント１２０８を含むことができる。消失デコードは、例えば上記でより十分に説明されるような、いずれの様々な方法で、実質的に(in virtually)実行されることができる。さらに、システム１２００は、電子コンポーネント１２０４、１２０６および１２０８に関連づけられた機能を実施するためのインストラクションを保持するメモリ１２１０を含むことができる。メモリ１２１０に外づけされているものとして示されているが、１つまたは複数の電子コンポーネント１２０４、１２０６、及び１２０８は、メモリ１２１０内で存在することができるということは理解されるべきである。
【０１７２】
上記で説明されてきたものは、１つまたは複数の実施形態の例を含む。前述した実施形態を説明する目的のためにすべての考えられるだけのコンポーネントあるいは方法の組み合わせを記述することは、勿論、可能ではないが、当業者は、様々な実施形態の、多くのさらなる組み合わせと並び替えが可能であるということを理解することが出来る。したがって、記載された実施形態は、添付された特許請求の範囲の精神および範囲の中に入る、すべてのそのような変更、修正、および変形を包含するように意図されている。さらに、用語「含む(includes)」が、詳細な説明あるいは特許請求の範囲のいずれかにおいて使用されている範囲内において、そのような用語は、用語「備えている(comprising)」がトランジショナルワード(transitional word)として請求項において使用されるときに解釈されるように、用語「備えている(comprising)」と同様な方法で包括的であるように意図されている。
以下に、本願出願の当初の特許請求の範囲に記載された発明を付記する。
［１］  情報の送信を容易にする方法であって、
制御チャネル情報を備えている情報の送信を容易にするために、１セットのコードワードを生成することと、
あらかじめ定義されたコードワード基準に少なくとも部分的に基づいて、１サブセットの前記コードワードを削除することと、
を備えている方法。
［２］  前記あらかじめ定義されたコードワード基準は、利用可能な帯域幅、前記セットのコードワードにおけるコードワードの数、与えられた時間において送信される予定である制御チャネル情報のビットの数、それぞれのペアのコードワードの相互相関値、使用されることが望まれる直交変調送信のタイプ、コードワード間の定義された最悪のケースの相互相関値、制御チャネル情報の送信を容易にするために使用されるトーンの数、あるいは、別のオペレーションのために使用される予定である削除されたコードワードの数、あるいは、それらの組み合わせ、のうちの少なくとも１つに関することができ、なお、前記他のオペレーションは、干渉レベル推定、消失検出、あるいはマルチモード制御チャネルオペレーション、のうちの少なくとも１つ、あるいは、それらの組み合わせ、を備えている、［１］記載の方法。
［３］  前記の生成されたセットのコードワードは、複素直交コードワードである、［１］記載の方法。
［４］  前記の生成されたセットのコードワードにおいて、各コードワードの同相及び直角位相をスクランブルすること、
をさらに備えており、ここにおいて、前記同相の前記のスクランブルすることは、第１のシーケンスを使用して実行され、前記直角位相の前記のスクランブルすることは、異なるシーケンスを使用して実行される、［３］記載の方法。
［５］  あらかじめ決定された長さの通信デバイス特定の複素擬似ランダム雑音シーケンスを使用して、前記の生成されたセットのコードワードにおいて、各コードワードをスクランブルすること、
をさらに備えている［３］記載の方法。
［６］  あらかじめ定義されたコードワード基準に少なくとも部分的に基づいて１サブセットの前記コードワードを削除することは、最悪のケースの相互相関値を有するコードワードのペアを削除すること、をさらに備えている、［１］記載の方法。
［７］  前記最悪のケースの相互相関値は、  
【数６０】
0005730813.tif 000061
である、［６］記載の方法。
［８］  複素直交変調に少なくとも部分的に基づいて、前記の生成されたセットのコードワードを構成すること、さらに備えている［１］記載の方法。
［９］  送信される予定である制御チャネル情報のビットの数を決定することと、
利用可能な帯域幅を決定することと、
直交変調のタイプを決定することと、
少なくとも１つの他のオペレーションを容易にするために使用されるべきコードワードの数を決定することと、
トーンの数を決定することと、
をさらに備えている［１］記載の方法。
［１０］  前記の生成されたセットのコードワードに、別のセットのコードワード  
【数６１】
0005730813.tif 000062
を加えることによって、前記の生成されたセットのコードワードＣｋを拡張し、
ｓｋは、  
【数６２】
0005730813.tif 000063
に直交であり、前記の他のセットのコードワード  
【数６３】
0005730813.tif 000064
は、すべての前記コードワードに一般に適用される潜在的複素スクランブリング部分をのぞいて、前記の複素コードワードｓｋのそれぞれの前記同相及び前記直角位相を取り替えることによって、得られる、［１］記載の方法。
［１１］  最悪のケースの相互相関値を作らない１サブセットのコードワードを使用して、制御チャネル情報を送信することと、
少なくとも１つの他のオペレーションのために、前記の削除されたコードワードの一部分を使用することと、
をさらに備えており、
前記少なくとも１つの他のオペレーションは、干渉レベル推定、消失検出あるいはマルチモード制御チャネル送信、のうちの少なくとも１つ、あるいはそれらの組み合わせ、を備え、そして、前記の削除されたコードワードの前記一部分は、共に操作したときに、前記サブセットのコードワードの最大相互相関値において増加がないように選択される廃棄されるコードワードである、［１］記載の方法。
［１２］  あらかじめ定義されたコードワード基準に少なくとも部分的に基づいて、１サブセットの前記コードワードを前記削除することは、
あらかじめ定義された相互相関プロパティを有する帯域幅効率非コヒーレントシグナリングセットのコードワードを作るために、前記セットのコードワードから、最悪のケースのコードワードを備えている１サブセットの前記コードワードを削除すること、
をさらに備えており、
前記セットのコードワードは、複素直交コードである、［１］記載の方法。
［１３］  前記あらかじめ定義された相互相関プロパティは、相関値の１／２に関する、［１２］記載の方法。
［１４］  前記複素直交コードは、削除ベースの複素直交コード、あるいは、拡張された削除ベースの複素直交コードである、［１２］記載の方法。
［１５］  前記セットのコードワードをマルチプルサブセットのコードワードに区分することと、
第１タイプの制御チャネル情報を送信することを容易にするために、第１サブセットのコードワードを使用することと、
帯域幅効率を改善することを促進させるために、消失デコードすること、干渉レベルを推定することと、あるいは少なくとも１つの他のタイプの制御チャネル情報を送信することと、のうちの少なくとも１つ、あるいは、それらの組み合わせ、を容易にするために、廃棄されるコードワードを備えている、少なくとも１つの他のサブセットのコードワードを使用することと、
をさらに備えている［１］記載の方法。
［１６］  前記第１タイプの制御チャネル情報は、チャネル品質インジケータチャネル（ＣＱＩＣＨ）を備えている制御チャネル情報を備えており、また、前記少なくとも１つの他のタイプの制御チャネル情報は、プレコーディングマトリクスインジケータチャネル（ＰＭＩＣＨ）あるいはスケジューリングリクエストチャネル（ＳＲＣＨ）、のうちの少なくとも１つ、あるいは、それらの組み合わせ、を備えている、［１５］記載の方法。
［１７］  ［１］記載の方法を実行するように構成された電子デバイス。
［１８］  あらかじめ定義されたコードワード基準に少なくとも部分的に基づいて、生成されるコードワードを使用して、情報を送信することに関連づけられたインストラクションを保持するメモリと、
前記メモリにおいて保持された前記インストラクションを実行するように構成され、前記メモリに結合される、プロセッサと、
を備えているワイヤレス通信装置。
［１９］  前記あらかじめ定義されたコードワード基準は、利用可能な帯域幅、前記セットのコードワードにおけるコードワードの数、与えられた時間において送信される予定である制御チャネル情報のビットの数、それぞれのペアのコードワードの相互相関値、使用されることが望まれる直交変調送信のタイプ、コードワード間の定義された最悪のケースの相互相関値、制御チャネル情報の送信を容易にするために使用されるトーンの数、あるいは、別のオペレーションのために使用される予定である削除されたコードワードの数、あるいは、それらの組み合わせ、のうちの少なくとも１つに関することができ、なお、前記他のオペレーションは、干渉レベル推定、消失検出、あるいはマルチモード制御チャネルオペレーション、のうちの少なくとも１つ、あるいは、それらの組み合わせ、を備えている、を備えている、［１８］記載のワイヤレス通信装置。
［２０］  前記メモリは、前記の生成されたコードワードに関連づけられた複素直交変調に関連づけられたインストラクションをさらに保持する、［１８］記載のワイヤレス通信装置。
［２１］  前記メモリは、最悪のケースの相互相関プロパティを生成しない第１サブセットの生成されたコードワードと、廃棄されるコードワードあるいは、最悪のケースの相互相関プロパティを生成するコードワード、のうちの少なくとも１つ、あるいはそれらの組み合わせ、を備えている削除されたコードワードを含む少なくとも１つの他のセットの生成されたコードワードと、に関連づけられたインストラクションを保持しており、各生成されたコードワードは、複素直交コードワードである、［１８］記載のワイヤレス通信装置。
［２２］  前記少なくとも１つの他のセットの生成されたコードワードは、前記あらかじめ定義されたコードワード基準に少なくとも部分的に基づいて、削除される生成されたコードワードを含んでいる、［２１］記載のワイヤレス通信装置。
［２３］  前記あらかじめ決定されたコードワード基準は、最悪のケースの相互相関プロパティの  
【数６４】
0005730813.tif 000065
を作る生成されたコードワードのペアが削除されるべきであるということを指定する、［２１］記載のワイヤレス通信装置。
［２４］  制御チャネル情報を備えている情報の送信を容易にするために、あらかじめ定義されたコードワード基準に少なくとも部分的に基づいてコードワードを生成するコードワード生成器と、
あらかじめ定義されたコードワード基準に基づいてコードワードを削除するイクスパゲータと、
を備える装置。
［２５］  前記コードワードは、複素直交コードワードである、［２４］記載の装置。
［２６］  前記複素直交コードは、削除ベースの複素直交コードあるいは拡張された削除ベースの複素直交コードである、［２５］記載の装置。
［２７］  前記イクスパゲータは、前記削除ベースの複素直交コードあるいは前記拡張された削除ベースの直交コードのうちの少なくとも１つを構成することを容易にするので、いずれの２つの削除された複素直交シーケンス間の前記相互相関は、コードワード削除条件  
【数６５】
0005730813.tif 000066
を使用することによって、１／２あるいはそれよりも少なく、なお、ｃｍ（ｋ）及びｃｎ（ｋ）は、ｋ番目の複素直交コードワードの同相及び直角位相のために使用される相互に直交バイナリシーケンスである［２６］記載の装置。
［２８］  前記コードワード生成器及び前記イクスパゲータは、１セットの生成されたコードワードｓｋの拡張を容易にすることに関連して、前記セットの生成されたコードワードに、別のセットのコードワード  
【数６６】
0005730813.tif 000067
を加えることによって、機能し、なお、ｓｋは、  
【数６７】
0005730813.tif 000068
に直交であり、前記の他のセットのコードワード  
【数６８】
0005730813.tif 000069
は、すべての前記コードワードに一般に適用される潜在的な複素スクランブリング部分をのぞいて、前記の複素コードワードｓｋのそれぞれの前記同相及び前記直角位相を取り替えることによって得られる、［２６］記載の装置。
［２９］  前記あらかじめ定義されたコードワード基準は、利用可能な帯域幅、前記セットのコードワードにおけるコードワードの数、与えられた時間において送信される予定である制御チャネル情報のビットの数、それぞれのペアのコードワードの相互相関値、使用されることが望まれる直交変調送信のタイプ、コードワード間の定義された最悪のケースの相互相関値、制御チャネル情報の送信を容易にするために使用されるトーンの数、あるいは、別のオペレーションのために使用される予定である削除されたコードワードの数、あるいは、それらの組み合わせ、のうちの少なくとも１つに関することができ、なお、前記他のオペレーションは、干渉レベル推定、消失検出、あるいはマルチモード制御チャネルオペレーション、のうちの少なくとも１つ、あるいは、それらの組み合わせ、を備えている、［２４］記載の装置。
［３０］  前記コードワード生成器は、送信される予定である制御チャネル情報のビットの数、少なくとも１つの他のオペレーションのために使用される予定であるコードワードの数、送信のために使用される予定であるトーンの数、直交変調のタイプ、利用可能な帯域幅、のうちの少なくとも１つ、あるいは、それらの組み合わせ、に少なくとも部分的に基づいて、コードワードを生成するように構成されている、［２４］記載の装置。
［３１］  前記コードワード生成器は、前記の生成されたセットのコードワードをスクランブルするように構成されており、前記の生成されたセットのコードワードの前記のスクランブルは、同相及び直角位相のための異なるスクランブリングコードを使用している前記の生成されたセットのコードワードにおける各コードワードの前記の同相及び直角位相のスクランブル、あるいは、あらかじめ決定された長さの通信デバイス特定の複素擬似ランダム雑音シーケンスを使用している前記の生成されたセットのコードワードにおける各コードワードのスクランブル、あるいは、それらの組み合わせ、のうちの少なくとも１つを備えている、［２４］記載の装置。
［３２］  情報の送信を容易にするワイヤレス通信装置であって、
情報の送信を容易にする１サブセットのコードワードを生成するための手段と、
あらかじめ定義されたコードワード基準に少なくとも部分的に基づいて、１サブセットの前記の生成されたコードワードを削除するための手段と、
を備えているワイヤレス通信装置。
［３３］  前記の生成されたセットのコードワードの一部分に少なくとも関連づけられた信号を送信するための手段、をさらに備えている［３２］記載のワイヤレス通信装置。
［３４］  前記の生成されたセットのコードワードの前記少なくとも一部分は、他のコードワードが削除された後で残る１サブセットのコードワードである、［３３］記載のワイヤレス通信装置。
［３５］  前記あらかじめ定義されたコードワード基準は、利用可能な帯域幅、前記セットのコードワードにおけるコードワードの数、与えられた時間において送信される予定である制御チャネル情報のビットの数、それぞれのペアのコードワードの相互相関値、使用されることが望まれる直交変調送信のタイプ、コードワード間の定義された最悪のケースの相互相関値、制御チャネル情報の送信を容易にするために使用されるトーンの数、あるいは、別のオペレーションのために使用される予定である削除されたコードワードの数、あるいは、それらの組み合わせ、のうちの少なくとも１つに関することができ、なお、前記他のオペレーションは、干渉レベル推定、消失検出、あるいはマルチモード制御チャネルオペレーション、のうちの少なくとも１つ、あるいは、それらの組み合わせ、を備えている、［３２］記載のワイヤレス通信装置。
［３６］  情報の送信を容易にするために１セットのコードワードを生成するためのマシン実行可能なインストラクションと、
あらかじめ定義されたコードワード基準に少なくとも一部分に基づいて、１サブセットのコードワードを削除するためのマシン実行可能なインストラクションと、
を保存したマシン可読媒体。
［３７］  前記マシン実行可能なインストラクションは、
非コヒーレントシグナリングを使用して、前記の生成されたセットのコードワードの少なくとも一部分に関連づけられた信号を送信すること、
をさらに備えており、前記の生成されたセットのコードワードの前記少なくとも一部分における各コードワードは、複素直交コードワードである、［３６］記載の記のマシン可読媒体。
［３８］  前記あらかじめ定義されたコードワード基準は、利用可能な帯域幅、前記セットのコードワードにおけるコードワードの数、与えられた時間において送信される予定である制御チャネル情報のビットの数、それぞれのペアのコードワードの相互相関値、使用されることが望まれる直交変調送信のタイプ、コードワード間の定義された最悪のケースの相互相関値、制御チャネル情報の送信を容易にするために使用されるトーンの数、あるいは、別のオペレーションのために使用される予定である削除されたコードワードの数、あるいは、それらの組み合わせ、のうちの少なくとも１つに関連づけることができ、なお、前記他のオペレーションは、干渉レベル推定、消失検出、あるいはマルチモード制御チャネルオペレーション、のうちの少なくとも１つ、あるいは、それらの組み合わせ、を備えている、［３６］記載のマシン可読媒体。
［３９］  ワイヤレス通信システムにおいて、装置は、
１セットの生成されたコードワードを使用するように、なお、前記コードワードは、あらかじめ定義されたコードワード基準に少なくとも部分的に基づいて生成されている、
前記あらかじめ定義されたコードワード基準に少なくとも部分的に基づいて、制御チャネル情報の送信を容易にするために前記セットの生成されたコードワードの一部分を使用するように、
構成されたプロセッサ、
を備えている装置。
［４０］  前記あらかじめ定義されたコードワード基準は、利用可能な帯域幅、前記セットのコードワードにおけるコードワードの数、与えられた時間において送信される予定である制御チャネル情報のビットの数、それぞれのペアのコードワードの相互相関値、使用されることが望まれる直交変調送信のタイプ、コードワード間の定義された最悪のケースの相互相関値、制御チャネル情報の送信を容易にするために使用されるトーンの数、あるいは、別のオペレーションのために使用される予定である削除されたコードワードの数、あるいは、それらの組み合わせ、のうちの少なくとも１つに関することができ、なお、前記他のオペレーションは、干渉レベル推定、消失検出、あるいはマルチモード制御チャネルオペレーション、のうちの少なくとも１つ、あるいは、それらの組み合わせ、を備えている、［３９］記載の装置。
［４１］  通信環境に関連づけられた情報の送信を容易にする方法であって、
あらかじめ定義されたコードワード基準に少なくとも部分的に基づいて、制御チャネル情報を備えている情報を送信することを容易にする、生成されたセットのコードワードに関連づけられた信号を受信することと、
前記の受信された信号をデコードすることと、
を備えている方法。
［４２］  前記あらかじめ定義されたコードワード基準は、利用可能な帯域幅、前記セットのコードワードにおけるコードワードの数、与えられた時間において送信される予定である制御チャネル情報のビットの数、それぞれのペアのコードワードの相互相関値、使用されることが望まれる直交変調送信のタイプ、コードワード間の定義された最悪のケースの相互相関値、制御チャネル情報の送信を容易にするために使用されるトーンの数、あるいは、別のオペレーションのために使用される予定である削除されたコードワードの数、あるいは、それらの組み合わせ、のうちの少なくとも１つに関することができ、なお、前記他のオペレーションは、干渉レベル推定、消失検出、あるいはマルチモード制御チャネルオペレーション、のうちの少なくとも１つ、あるいは、それらの組み合わせ、を備えている、［４１］記載の方法。
［４３］前記の受信された信号を前記デコードすることは、前記の受信された信号と候補コードワードとの間の前記相互相関のエネルギーレベルに少なくとも部分的に基づいて、前記の受信された信号に関連づけられたコードワードを選択すること、をさらに備えている［４１］記載の方法。
［４４］  前記の受信された信号を前記デコードすることは、前記の受信された信号のデコードを容易にするためにマルチピーク非コヒーレントデコードを使用すること、をさらに備えている［４１］記載の方法。
［４５］  前記の受信された信号に関連づけられた前記の生成されたコードワードの少なくとも一部分は、廃棄されるコードワードである削除されたコードワードを備えている、［４１］記載の方法。
［４６］  非コヒーレントシグナリングにおける消失デコードを容易にするために、１サブセットの前記廃棄されるコードワードを使用すること、をさらに備えている［４５］記載の方法。
［４７］  前記消失デコードは、
最大の可能性のデコードによってコードワードを決定することと、
前記の決定されたコードワードに完全に直交である前記サブセットから少なくとも１つのコードワードを選択することと、
前記少なくとも１つのコードワードに対応する前記デコーダ出力エネルギー値の平均値を計算することと、
前記決定されたコードワードのデコーダ出力エネルギー値と前記少なくとも１つのコードワードに対応する前記デコーダ出力エネルギー値の前記平均値との間の差異あるいは比のうち少なくとも１つを決定することと、
有効なデコード結果に関するあらかじめ決定されたスレッシュホールドのレベルと、前記差異あるいは前記比のうちの前記少なくとも１つを比較することと、
前記差異あるいは前記比のうち前記少なくとも１つは、あらかじめ決定されたスレッシュホールドのレベルよりも大きいあるいは等しいかどうかを決定することと、
少なくとも１つの、
前記差異あるいは前記比のうち前記少なくとも１つが前記あらかじめ決定されたスレッシュホールドのレベルよりも大きいあるいは等しい場合には、前記決定されたコードワードは有効なデコード結果であるということを決定すること、
あるいは、
前記差異あるいは前記比のうち前記少なくとも１つが前記あらかじめ決定されたスレッシュホールドのレベルよりも小さい場合には、前記決定されたコードワードは有効なデコード結果ではないということを決定すること、
をさらに備えている、［４６］記載の方法。
［４８］  前記消失デコードは、
既知シーケンスであるかのように決定されたコードワードを使用することと、
前記決定されたコードワードに少なくとも部分的に基づいて伝播チャネル係数を推定することと、
受信された信号から前記決定されたコードワードに対応する信号コンポーネントを取り除くことと、
前記の受信された信号の前記信号コンポーネントを取り除いた後で残る前記信号の前記平均パワーを計算することと、
前記の残りの信号の前記平均パワーに少なくとも部分的に基づいて背景雑音レベルを推定することと、
前記伝播チャネル推定及び前記背景雑音レベルの推定に少なくとも部分的に基づいて、信号対雑音比を計算することと、
有効なデコード結果に関連づけられたあらかじめ決定されたスレッシュホールドのレベルと、前記信号対雑音比を比較することと、
前記信号対雑音比は、前記あらかじめ決定されたスレッシュホールドのレベルよりも大きいあるいは等しいかどうかを決定することと、
少なくとも１つの、
前記決定されたコードワードは、前記信号対雑音比が前記あらかじめ決定されたスレッシュホールドのレベルよりも大きいあるいは等しい場合には、有効なデコード結果であるということを決定することと、
あるいは、
前記決定されたコードワードは、前記信号対雑音比が前記あらかじめ決定されたスレッシュホールドのレベルよりも小さい場合には、有効なデコード結果ではないということを決定することと、
をさらに備えている、［４６］記載の方法。
［４９］  あらかじめ定義されたコードワード基準に少なくとも部分的に基づいて制御チャネル情報を備えている情報を送信することと、前記の受信された信号をデコードすることとを容易にする生成されたセットのコードワードに関連づけられた信号を受信することに関連づけられたインストラクションを保持するメモリと、
前記メモリにおいて保持される前記インストラクションを実行するように構成され、前記メモリに結合されるプロセッサと、
を備えているワイヤレス通信装置。
［５０］  前記メモリは、前記の受信された信号と候補コードワードとの間の前記相互相関のエネルギーレベルに少なくとも部分的に基づいてコードワードを決定するために受信された信号をデコードすることに関連づけられたインストラクションをさらに保持する、［４９］記載のワイヤレス通信装置。
［５１］  前記メモリは、マルチピーク非コヒーレントデコードを使用して、受信された信号をデコードすることに関連づけられたインストラクションをさらに保持する、［４９］記載のワイヤレス通信装置。
［５２］  前記あらかじめ定義されたコードワード基準は、利用可能な帯域幅、前記セットのコードワードにおけるコードワードの数、与えられた時間において送信される予定である制御チャネル情報のビットの数、それぞれのペアのコードワードの相互相関値、使用されることが望まれる直交変調送信のタイプ、コードワード間の定義された最悪のケースの相互相関値、制御チャネル情報の送信を容易にするために使用されるトーンの数、あるいは、別のオペレーションのために使用される予定である削除されたコードワードの数、あるいは、それらの組み合わせ、のうちの少なくとも１つに関することができ、なお、前記他のオペレーションは、干渉レベル推定、消失検出、あるいはマルチモード制御チャネルオペレーション、のうちの少なくとも１つ、あるいは、それらの組み合わせ、を備えている、［４９］記載のワイヤレス通信装置。
［５３］  前記の生成されたセットのコードワードは、制御チャネル情報の送信を容易にするために使用される第１サブセットのコードワードと、廃棄されるコードワードを備えている別のサブセットのコードワードと、を備えており、ここにおいて、前記の他のサブセットのコードワードの少なくとも一部分は、消失デコード、干渉レベル推定、あるいはマルチモード制御チャネルオペレーション、のうちの少なくとも１つ、あるいはそれらの組み合わせ、に関連づけられた情報の送信を容易にするために使用されており、また、前記マルチモード制御チャネルオペレーションは、追加の制御チャネル情報の送信を備えている、［４９］記載のワイヤレス通信装置。
［５４］  ワイヤレス通信環境における情報の送信を容易にするワイヤレス通信装置であって、
あらかじめ定義されたコードワード基準に少なくとも部分的に基づいて、制御チャネル情報を備えている情報を送信することを容易にする生成されたセットのコードワードに関連づけられた信号を受信するための手段と、
前記の受信された信号をデコードするための手段と、
を備えているワイヤレス通信装置。
［５５］  廃棄されるコードワードである１サブセットの前記の生成されたコードワードを使用して、受信された信号上で消失デコードを実行するための手段、をさらに備えている［５４］記載のワイヤレス通信装置。
［５６］  前記の生成されたセットのコードワードは、制御チャネル情報の送信を容易にするために使用される第１サブセットのコードワードと、廃棄されるコードワードを備えている別のサブセットのコードワードと、を備えており、ここにおいて、前記の他のサブセットのコードワードの少なくとも一部分は、消失デコード、干渉レベル推定、あるいはマルチモード制御チャネルオペレーション、のうちの少なくとも１つ、あるいは、それらの組み合わせ、に関連づけられた情報の送信を容易にするために使用されており、また、前記マルチモード制御チャネルオペレーションは、追加の制御チャネル情報の送信を備えている、［５４］記載のワイヤレス通信装置。
［５７］  前記あらかじめ定義されたコードワード基準は、利用可能な帯域幅、前記セットのコードワードにおけるコードワードの数、与えられた時間において送信される予定である制御チャネル情報のビットの数、それぞれのペアのコードワードの相互相関値、使用されることが望まれる直交変調送信のタイプ、コードワード間の定義された最悪のケースの相互相関値、制御チャネル情報の送信を容易にするために使用されるトーンの数、あるいは、別のオペレーションのために使用される予定である削除されたコードワードの数、あるいは、それらの組み合わせ、のうちの少なくとも１つに関することができ、なお、前記他のオペレーションは、干渉レベル推定、消失検出、あるいはマルチモード制御チャネルオペレーション、のうちの少なくとも１つ、あるいは、それらの組み合わせ、を備えている、［５４］記載のワイヤレス通信装置。
［５８］  前記の受信された信号をデコードするための手段は、前記の受信された信号と候補コードワードとの間で前記相互相関のエネルギーレベルに少なくとも部分的に基づいてコードワードを決定するために、受信された信号をデコードするための手段をさらに備えている［５４］記載のワイヤレス通信装置。
［５９］  前記の受信された信号をデコードするための手段は、マルチピーク非コヒーレントデコードを使用して、受信された信号をデコードするための手段をさらに備えている、［５４］記載のワイヤレス通信装置。
［６０］  あらかじめ定義されたコードワード基準に少なくとも部分的に基づいて、制御チャネル情報を備えている情報を送信することを容易にする生成されたセットのコードワードに関連づけられた信号を受信するためのマシン実行可能なインストラクションと、
前記の受信された信号をデコードするためのマシン実行可能なインストラクションと、  を保存しているマシン可読媒体。
［６１］  前記あらかじめ定義されたコードワード基準は、利用可能な帯域幅、前記セットのコードワードにおけるコードワードの数、与えられた時間において送信される予定である制御チャネル情報のビットの数、それぞれのペアのコードワードの相互相関値、使用されることが望まれる直交変調送信のタイプ、コードワード間の定義された最悪のケースの相互相関値、制御チャネル情報の送信を容易にするために使用されるトーンの数、あるいは、別のオペレーションのために使用される予定である削除されたコードワードの数、あるいは、それらの組み合わせ、のうちの少なくとも１つに関することができ、なお、前記他のオペレーションは、干渉レベル推定、消失検出、あるいはマルチモード制御チャネルオペレーション、のうちの少なくとも１つ、あるいは、それらの組み合わせ、を備えている、［６０］記載のマシン可読媒体。
［６２］  前記マシン実行可能なインストラクションは、廃棄されるコードワードである１サブセットの前記の生成されたコードワードを使用して、受信された信号上で消失デコードを実行することをさらに備えている、［６０］記載のマシン可読媒体。
［６３］  ワイヤレス通信システムにおいて、
あらかじめ定義されたコードワード基準に少なくとも部分的に基づいて、制御チャネル情報を備えている情報を送信することを容易にする生成されたセットのコードワードに関連づけられた信号を受信するように；
前記の受信された信号をデコードするように；
１サブセットの前記の生成された１セットのコードワードを使用して、受信された信号の消失デコードを実行するように、なお、前記サブセットは廃棄されるコードワードを備えている；
構成されたプロセッサと、
を備えている
装置。
【図１】
0005730813.tif 000074
【図２】
0005730813.tif 000075
【図３】
0005730813.tif 000076
【図４】
0005730813.tif 000077
【図５】
0005730813.tif 000078
【図６】
0005730813.tif 000079
【図７】
0005730813.tif 000080
【図８】
0005730813.tif 000081
【図９】
0005730813.tif 000082
【図１０】
0005730813.tif 000083
【図１１】
0005730813.tif 000084
【図１２】
0005730813.tif 000085